(57)【要約】【課題】効率的に下りリンクのモニタを行うことができる。【解決手段】端末装置は、上位層の信号とＰＤＣＣＨを受信し、前記上位層の信号は、前記ＰＤＣＣＨをモニタするスロットを示すＲＲＣパラメータを含み、前記ＰＤＣＣＨは、スロットストラクチャー情報を含み、前記スロットストラクチャー情報は、前記ＰＤＣＣＨを受信したスロットの次のスロットｎに対するスロットストラクチャーを示し、前記ＲＲＣパラメータと前記スロットストラクチャー情報に少なくとも基づき、スロットｎにおいてＰＤＣＣＨをモニタするかどうかを制御する。【選択図】図１０
2020057832.tif 000002
【特許請求の範囲】
【請求項１】
上位層の信号とＰＤＣＣＨを受信する受信部と、
前記上位層の信号は、前記ＰＤＣＣＨをモニタするスロットを示すＲＲＣパラメータを含み、
前記ＰＤＣＣＨは、スロットストラクチャー情報を含み、
前記スロットストラクチャー情報は、前記ＰＤＣＣＨを受信したスロットの次のスロットｎに対するスロットストラクチャーを示し、
前記ＲＲＣパラメータと前記スロットストラクチャー情報に少なくとも基づき、スロットｎにおいてＰＤＣＣＨをモニタするかどうかを制御する制御部と、を備える
端末装置。
【請求項２】
前記受信部は、
前記ＲＲＣパラメータが、前記スロットｎにおいてＰＤＣＣＨをモニタすることを示し、且つ、前記スロットストラクチャー情報が、前記スロットｎにおけるスロットストラクチャーを上りリンクオンリースロットであると示した場合、
前記スロットｎにおいて、前記ＰＤＣＣＨをモニタせず、
前記ＲＲＣパラメータが、前記スロットｎにおいてＰＤＣＣＨをモニタすることを示し、且つ、前記スロットストラクチャー情報が、前記スロットｎのスロットストラクチャーを上りリンクオンリースロット以外のスロットであると示した場合、
前記スロットｎにおいて、前記ＰＤＣＣＨをモニタする
請求項１の端末装置。
【請求項３】
前記受信部は、
スロットｎ−１において前記スロットストラクチャー情報を含む前記ＰＤＣＣＨが検出されない場合、かつ、前記ＲＲＣパラメータが前記スロットｎにおいて前記ＰＤＣＣＨをモニタすることを示す場合、
前記スロットｎにおいて、前記ＰＤＣＣＨをモニタし、
前記スロットｎ−１において前記スロットストラクチャー情報を含む前記ＰＤＣＣＨが検出されない場合、かつ、前記ＲＲＣパラメータが前記スロットｎにおいて前記ＰＤＣＣＨをモニタすることを示していない場合、
前記スロットｎにおいて、前記ＰＤＣＣＨをモニタしない
請求項１の端末装置。
【請求項４】
スロットストラクチャー情報を含むＰＤＣＣＨとＲＲＣシグナリングを送信する送信部と、
前記ＲＲＣシグナリングは、スロットｎにおいて、端末装置に前記ＰＤＣＣＨをモニタさせるかどうか指示するＲＲＣパラメータを含み、
スロットｎ−１において送信された前記ＰＤＣＣＨに含まれる前記スロットストラクチャー情報は、スロットｎのスロットストラクチャーを示し、
スロットｎに対する下りリンク送信か、上りリンク受信かに応じて、スロットｎのスロットストラクチャー情報を、設定する生成部と、備える
基地局装置
【請求項５】
端末装置に用いられる通信方法であって、
上位層の信号とＰＤＣＣＨを受信し、
前記上位層の信号は、前記ＰＤＣＣＨをモニタするスロットを示すＲＲＣパラメータを含み、
前記ＰＤＣＣＨは、スロットストラクチャー情報を含み、
前記スロットストラクチャー情報は、前記ＰＤＣＣＨを受信したスロットの次のスロッ
トｎに対するスロットストラクチャーを示し、
前記ＲＲＣパラメータと前記スロットストラクチャー情報に少なくとも基づき、スロットｎにおいてＰＤＣＣＨをモニタするかどうかを制御する
通信方法。
【請求項６】
基地局装置に用いられる通信方法であって、
スロットストラクチャー情報を含むＰＤＣＣＨとＲＲＣシグナリングを送信し、
前記ＲＲＣシグナリングは、スロットｎにおいて、端末装置に前記ＰＤＣＣＨをモニタさせるかどうか指示するＲＲＣパラメータを含み、
スロットｎ−１において送信された前記ＰＤＣＣＨに含まれる前記スロットストラクチャー情報は、スロットｎのスロットストラクチャーを示し、
スロットｎに対する下りリンク送信か、上りリンク受信かに応じて、スロットｎのスロットストラクチャー情報を、設定する
通信方法。
【請求項７】
端末装置に実装される集積回路であって、
上位層の信号とＰＤＣＣＨを受信する受信回路と、
前記上位層の信号は、前記ＰＤＣＣＨをモニタするスロットを示すＲＲＣパラメータを含み、
前記ＰＤＣＣＨは、スロットストラクチャー情報を含み、
前記スロットストラクチャー情報は、前記ＰＤＣＣＨを受信したスロットの次のスロットｎに対するスロットストラクチャーを示し、
前記ＲＲＣパラメータと前記スロットストラクチャー情報に少なくとも基づき、スロットｎにおいてＰＤＣＣＨをモニタするかどうかを制御する制御回路と、を備える
集積回路。
【請求項８】
基地局装置に実装される集積回路であって、
スロットストラクチャー情報を含むＰＤＣＣＨとＲＲＣシグナリングを送信する送信回路と、
前記ＲＲＣシグナリングは、スロットｎにおいて、端末装置に前記ＰＤＣＣＨをモニタさせるかどうか指示するＲＲＣパラメータを含み、
スロットｎ−１において送信された前記ＰＤＣＣＨに含まれる前記スロットストラクチャー情報は、スロットｎのスロットストラクチャーを示し、
スロットｎに対する下りリンク送信か、上りリンク受信かに応じて、スロットｎのスロットストラクチャー情報を、設定する生成回路と、備える
集積回路。
【発明の詳細な説明】
【技術分野】
【０００１】
本発明は、端末装置、基地局装置、通信方法、および、集積回路に関する。
【背景技術】
【０００２】
セルラー移動通信の無線アクセス方式および無線ネットワーク（以下、「Long Term Evolution （LTE: 登録商標）」、または、「Evolved Universal Terrestrial Radio Access : EUTRA」と称する。）が、第三世代パートナーシッププロジェクト（3rd Generation Partnership Project: 3GPP）において検討されている。ＬＴＥでは、基地局装置をｅＮ
ｏｄｅＢ（evolved NodeB）、端末装置をＵＥ（User Equipment）とも称する。ＬＴＥは
、基地局装置がカバーするエリアをセル状に複数配置するセルラー通信システムである。単一の基地局装置は複数のセルを管理してもよい。
【０００３】
３ＧＰＰでは、国際電気通信連合（ITU: International Telecommunication Union）が策定する次世代移動通信システムの規格であるＩＭＴ（International Mobile Telecommunication）―２０２０に提案するため、次世代規格（NR: New Radio）の検討が行われて
いる（非特許文献１）。ＮＲにおいて、スロットのスロットストラクチャー情報の通知に関する検討が行われている（非特許文献２）。
【先行技術文献】
【非特許文献】
【０００４】
【非特許文献１】"New SID proposal: Study on New Radio Access Technology", RP-160671, NTT docomo, 3GPP TSG RAN Meeting#71, Goteborg, Sweden, 7th - 10th March, 2016.
【非特許文献２】"On control signaling for duplexing flexibility", R1-1700079, Huawei, HiSilicon, 3GPP TSG RAN WG1 NR Ad-Hoc Meeting, Spokane, USA, 16th - 20th January 2017.
【発明の概要】
【発明が解決しようとする課題】
【０００５】
本発明は、効率的に下りリンクのモニタを行うことができる端末装置、該端末装置に用いられる通信方法、該端末装置に実装される集積回路を提供する。
【課題を解決するための手段】
【０００６】
（１）本発明の態様は、以下のような手段を講じた。すなわち、本発明の第１の態様は端末装置であって、上位層の信号とＰＤＣＣＨを受信する受信部と、前記上位層の信号は、前記ＰＤＣＣＨをモニタするスロットを示すＲＲＣパラメータを含み、前記ＰＤＣＣＨは、スロットストラクチャー情報を含み、前記スロットストラクチャー情報は、前記ＰＤＣＣＨを受信したスロットの次のスロットｎに対するスロットストラクチャーを示し、前記ＲＲＣパラメータと前記スロットストラクチャー情報に少なくとも基づき、スロットｎにおいてＰＤＣＣＨをモニタするかどうかを制御する制御部と、を備える。
【０００７】
（２）本発明の第２の態様は、端末装置と通信する基地局装置であって、スロットストラクチャー情報を含むＰＤＣＣＨとＲＲＣシグナリングを送信する送信部と、前記ＲＲＣシグナリングは、スロットｎにおいて、端末装置に前記ＰＤＣＣＨをモニタさせるかどうか指示するＲＲＣパラメータを含み、スロットｎ−１において送信された前記ＰＤＣＣＨに含まれる前記スロットストラクチャー情報は、スロットｎのスロットストラクチャーを示し、スロットｎに対する下りリンク送信か、上りリンク受信かに応じて、スロットｎの
スロットストラクチャー情報を、設定する生成部と、備える。
【０００８】
（３）本発明の第３の態様は、端末装置に用いられる通信方法であって、上位層の信号とＰＤＣＣＨを受信し、前記上位層の信号は、前記ＰＤＣＣＨをモニタするスロットを示すＲＲＣパラメータを含み、前記ＰＤＣＣＨは、スロットストラクチャー情報を含み、前記スロットストラクチャー情報は、前記ＰＤＣＣＨを受信したスロットの次のスロットｎに対するスロットストラクチャーを示し、前記ＲＲＣパラメータと前記スロットストラクチャー情報に少なくとも基づき、スロットｎにおいてＰＤＣＣＨをモニタするかどうかを制御する。
【０００９】
（４）本発明の第４の態様は、端末装置と通信する基地局装置に用いられる通信方法であって、スロットストラクチャー情報を含むＰＤＣＣＨとＲＲＣシグナリングを送信し、前記ＲＲＣシグナリングは、スロットｎにおいて、端末装置に前記ＰＤＣＣＨをモニタさせるかどうか指示するＲＲＣパラメータを含み、スロットｎ−１において送信された前記ＰＤＣＣＨに含まれる前記スロットストラクチャー情報は、スロットｎのスロットストラクチャーを示し、スロットｎに対する下りリンク送信か、上りリンク受信かに応じて、スロットｎのスロットストラクチャー情報を、設定する。
【００１０】
（５）本発明の第５の態様は、端末装置に実装される集積回路であって、上位層の信号とＰＤＣＣＨを受信する受信回路と、前記上位層の信号は、前記ＰＤＣＣＨをモニタするスロットを示すＲＲＣパラメータを含み、前記ＰＤＣＣＨは、スロットストラクチャー情報を含み、前記スロットストラクチャー情報は、前記ＰＤＣＣＨを受信したスロットの次のスロットｎに対するスロットストラクチャーを示し、前記ＲＲＣパラメータと前記スロットストラクチャー情報に少なくとも基づき、スロットｎにおいてＰＤＣＣＨをモニタするかどうかを制御する制御回路と、を備える。
【００１１】
（６）本発明の第６の態様は、基地局装置に実装される集積回路であって、スロットストラクチャー情報を含むＰＤＣＣＨとＲＲＣシグナリングを送信する送信回路と、前記ＲＲＣシグナリングは、スロットｎにおいて、端末装置に前記ＰＤＣＣＨをモニタさせるかどうか指示するＲＲＣパラメータを含み、スロットｎ−１において送信された前記ＰＤＣＣＨに含まれる前記スロットストラクチャー情報は、スロットｎのスロットストラクチャーを示し、スロットｎに対する下りリンク送信か、上りリンク受信かに応じて、スロットｎのスロットストラクチャー情報を、設定する生成回路と、備える。
【発明の効果】
【００１２】
この発明によれば、端末装置は効率的に下りリンクのモニタを行うことができる。
【図面の簡単な説明】
【００１３】
【図１】本実施形態の無線通信システムの概念図である。
【図２】本実施形態における上りリンクリソースブロックの概略構成を示す図である。
【図３】本実施形態におけるスロットストラクチャーの一例を示す図である。
【図４】本実施形態におけるスロットストラクチャーにマッピングされるフィールドの一例である。
【図５】本実施形態におけるスロットストラクチャーにマッピングされるフィールドの他の一例である。
【図６】本実施形態における各スロットのスロットストラクチャー情報を示す一例の図である。
【図７】本実施形態におけるスロットのコンフィギュレーションの一例を示す図である。
【図８】本実施形態におけるスロットのコンフィギュレーションの他の一例を示す図である。
【図９】本実施形態の基地局装置３の構成を示す概略ブロック図である。
【図１０】本実施形態の端末装置１の構成を示す概略ブロック図である。
【発明を実施するための形態】
【００１４】
以下、本発明の実施形態について説明する。
【００１５】
図１は、本実施形態の無線通信システムの概念図である。図１において、無線通信システムは、端末装置１Ａ〜１Ｃ、および基地局装置３を具備する。以下、端末装置１Ａ〜１Ｃを端末装置１という。
【００１６】
基地局装置３は、基地局、基地局装置、ノードＢ、ｅＮＢ（ＥＵＴＲＡＮ  ＮｏｄｅＢ、ｅｖｏｌｖｅｄ  ＮｏｄｅＢ）、ｇＮＢと称されてもよい。端末装置１は、端末、端末装置、移動局、ユーザ装置、ＵＥ（Ｕｓｅｒ  ｅｑｕｉｐｍｅｎｔ）と称されてもよい。
【００１７】
基地局装置３は端末装置１が該基地局装置３で通信可能なエリアであるセルを周波数毎に管理する。１つの基地局装置３が複数のセルを管理していてもよい。セルは、端末装置１と通信可能なエリアの大きさ（セルサイズ）に応じて複数の種別に分類される。例えば、セルは、マクロセルとスモールセルに分類される。さらに、スモールセルは、そのエリアの大きさに応じて、フェムトセル、ピコセル、ナノセルに分類される。また、端末装置１がある基地局装置３と通信可能であるとき、その基地局装置３のセルのうち、端末装置１との通信に使用されるように設定されているセルは在圏セル（Ｓｅｒｖｉｎｇ  ｃｅｌｌ、サービングセル）であり、その他の通信に使用されないセルは周辺セル（Ｎｅｉｇｈｂｏｒｉｎｇ  ｃｅｌｌ）と称される。
【００１８】
下りリンクにおいて、サービングセルに対応するキャリアを下りリンクコンポーネントキャリアと称する。上りリンクにおいて、サービングセルに対応するキャリアを上りリンクコンポーネントキャリアと称する。下りリンクコンポーネントキャリア、および、上りリンクコンポーネントキャリアを総称して、コンポーネントキャリアと称する。端末装置１は、複数のサービングセル（コンポーネントキャリア）において同時に複数の物理チャネルでの送信、および／または受信を行うことができる。１つの物理チャネルは、複数のサービングセル（コンポーネントキャリア）のうち１つのサービングセル（コンポーネントキャリア）において送信されてもよい。
【００１９】
また、ＮＲ（Ｎｅｘｔ  Ｇｅｎｅｒａｔｉｏｎ  Ｒａｄｉｏ  Ａｃｃｅｓｓ  Ｔｅｃｈｎｏｌｏｇｙ）をサポートしているセルをＮＲセルとも称する。ＮＲセルのキャリアをＮＲキャリアと称する。ＮＲセルのコンポーネントキャリアをＮＲコンポーネントキャリアとも称する。ＮＲセルは、ライセンスバンド（licensed band）を含んでもよい。また、
ＮＲセルは、アンライセンスバンド（unlicensed band）を含んでもよい。
【００２０】
ＮＲセル、ＮＲキャリア、および／または、ＮＲコンポーネントキャリアでは、サブフレーム、スロット、ミニスロット、シンボルの長さ（時間長、期間）がそれぞれ規定（定義、設定）されてもよい。ここで、シンボルは、ＳＣ−ＦＤＭＡ（Ｓｉｎｇｌｅ  Ｃａｒｒｉｅｒ−Ｆｒｅｑｕｅｎｃｙ  Ｄｉｖｉｓｉｏｎ  Ｍｕｌｔｉｐｌｅ  Ａｃｃｅｓｓ）シンボル、または、ＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）シンボルであってもよい。なお、ミニスロットは、サブスロットと称されてもよい。ＯＦＤＭは、ＣＰ−ＯＦＤＭ（Ｃｙｃｌｉｃ  Ｐｒｅｆｉｘ−ＯＦＤＭ）と称されてもよい。ＳＣ−ＦＤＭＡは、ＤＦＴ−Ｓ−ＯＦＤＭ（Ｄｉｓｃｒｅｔｅ  Ｆｏｕｒｉｅｒ  Ｔｒａｎｓｆｏｒｍ−Ｓｐｒｅａｄ−ＯＦＤＭ）であって
もよい。
【００２１】
次に、本実施形態に係わるサブフレームについて説明する。本実施形態に係るサブフレームの長さ（時間長、期間）は、１ｍｓであってもよい。無線フレームのそれぞれは、１０ｍｓであってもよい。つまり、無線フレームのそれぞれは１０のサブフレームから構成されてもよい。
【００２２】
また、１つのサブフレームに含まれるシンボルの数は、送信および／または受信に用いられる物理チャネルに対するサブキャリア間隔（Subcarrier Spacing）に基づいて規定されてもよい。例えば、該サブキャリア間隔が１５ｋＨｚの場合には、１つのサブフレームに含まれるシンボルの数は１４シンボルであってもよい。また、該サブキャリア間隔が３０ｋＨｚの場合には、１つのサブフレームに含まれるシンボルの数は２８シンボルであってもよい。サブフレームは、１、または、複数のスロットを含んでもよい。
【００２３】
次に、本実施形態に係わるスロットおよびミニスロットについて説明する。スロットは、１つまたは１つより多いミニスロット、および／または、１つまたは１つよりも多い物理チャネル、および／または、１つまたは１つよりも多いシンボルで構成されてもよい。１つのスロットの長さ（時間長）は、１つのスロットを構成するシンボルの数、１つのシンボルの長さ、該１つのシンボルに付与される１つのＣＰの長さに基づいて規定されてもよい。該１つのシンボルの長さ、および、該１つのＣＰの長さは、スロットに対して適用されるサブキャリア間隔に関連して規定されてもよい。つまり、スロットに用いられるシンボルおよびＣＰの長さは、サブフレームとは個別に設定または規定されてもよい。
【００２４】
ここで、１つのスロットを構成するシンボルの数は、スロットの構成に用いられるサブキャリア間隔に基づいて規定されてもよい。例えば、サブキャリア間隔が６０ｋＨｚまでは、１つのスロットを構成するシンボルの数は、７シンボル、または、１４シンボルであってもよい。また、サブキャリア間隔が６０ｋＨｚを超える場合には、１つのスロットを構成するシンボルの数は、１４シンボルであってもよい。また、１つのスロットを構成するシンボルの数は、１つのサブフレームを構成するシンボルの数とは個別に設定されてもよい。例えば、１つのスロットを構成するシンボルの数は、共通および／または個別の上位層シグナリングを介して設定されてもよい。また、１つのスロットを構成するシンボルの数は、共通および／または個別の物理層シグナリングを介して設定されてもよい。
【００２５】
次に、本実施形態に係るミニスロットについて説明する。ミニスロットは、１つまたは１つより多いシンボルで構成されてもよい。１つのミニスロットの長さ（時間長）は、１つのミニスロットを構成するシンボルの数、１つのシンボルの長さ、該１つのシンボルに付与される１つのＣＰの長さに基づいて規定されてもよい。該１つのシンボルの長さ、および、該１つのＣＰの長さは、ミニスロットに対して適用されるサブキャリア間隔に関連して規定されてもよい。つまり、ミニスロットに用いられるシンボルおよびＣＰの長さは、サブフレームやスロットとは個別に設定または規定されてもよい。
【００２６】
ここで、１つのミニスロットを構成するシンボルの数は、スロットを構成するシンボルの数よりも少ない数であってもよい。また、１つのミニスロットを構成するシンボルの数は、１つのスロットを構成するシンボルの数に基づいて規定または設定されてもよい。また、１つのミニスロットを構成するシンボルの数は、１つのスロットを構成するシンボルの数とは個別に設定されてもよい。例えば、１つのミニスロットを構成するシンボルの数は、共通および／または個別の上位層シグナリングを介して設定されてもよい。また、１つのミニスロットを構成するシンボルの数は、共通および／または個別の物理層シグナリングを介して設定されてもよい。なお、サブフレームの中に１つよりも多いミニスロットを含むことができる場合には、１つのサブフレームに含まれるミニスロット間で、１つの
ミニスロットを構成するシンボルの数は、少なくとも１つのサブフレーム内では共通、または、同じ数であることが好ましい。また、１つのミニスロットを構成するシンボルの数は、ミニスロットに対して適用または設定されるサブキャリア間隔に関連して規定されてもよい。
【００２７】
次に、本実施形態に係わるリソースブロックについて説明する。図２は、本実施形態における上りリンクリソースブロックの概略構成を示す図である。図２において、１つのセルにおける上りリンクリソースブロックの構成を示す。図２において、横軸は時間軸であり、縦軸は周波数軸である。図２において、ｌはシンボル番号／インデックスであり、ｋはサブキャリア番号／インデックスである。
【００２８】
リソースブロック（ＲＢ）は、物理チャネルのリソースエレメントへのマッピングを表すために用いられる。リソースエレメント（ＲＥ：Ｒｅｓｏｕｒｃｅ  Ｅｌｅｍｅｎｔ）は、１つのサブキャリアおよび１つのシンボルによって構成される。リソースブロックは、仮想リソースブロック（ＶＲＢ）と物理リソースブロック（ＰＲＢ）が定義される。物理チャネルは、まず仮想リソースブロックにマップされる。その後、仮想リソースブロックは、物理リソースブロックにマップされる。１つの物理リソースブロックは、時間領域においてNULsymbの連続するシンボルと周波数領域においてNRBscの連続するサブキャリアとから定義される。ゆえに、１つの物理リソースブロックは（NULsymb×NRBsc）のリソースエレメントから構成される。NRBscの値は１２であってもよい。上りリンクにおけるノ
ーマルＣＰ（normal Cyclic Prefix）に対して、NULsymbの値は７であってもよい。また
、NULsymbの値は１４であってもよい。上りリンクにおける拡張ＣＰ（extended ＣＰ）に対して、NULsymbの値は６であってもよい。また、NULsymbの値は１２であってもよい。
【００２９】
１つの物理リソースブロックは、サブキャリア間隔に基づいて、時間領域において１つのスロットに対応してもよい。また、１つの物理リソースブロックは、サブキャリア間隔に基づいて、時間領域においてスロットの半分に対応してもよい。また、１つの物理リソースブロックを構成するシンボルの数は、サブキャリア間隔に基づいて、規定されてもよい。例えば、サブキャリア間隔が１５ｋＨｚであった場合、１つの物理リソースブロックを構成するシンボルの数は７に規定されてもよい。また、例えば、サブキャリア間隔が３０ｋＨｚであった場合、１つの物理リソースブロックを構成するシンボルの数は１４に規定されてもよい。
【００３０】
また、時間領域において、１つの物理リソースブロックを構成するシンボル数は物理チャネルの送信または受信のために用いられるシンボル数であってもよい。物理リソースブロックは周波数領域において、周波数の低いほうから順に番号nPRB（0,1,…, NULRB-1）
が付けられる。
【００３１】
ここで、サブキャリア間隔は、３.７５ｋＨｚ、７．５ｋＨｚ、１５ｋＨｚ、３０ｋＨ
ｚ、６０ｋＨｚ、１２０ｋＨｚ、２４０ｋＨｚ内の何れであってもよい。サブキャリア間隔を狭くするとシンボル長は長くなり、サブキャリア間隔を広くするとシンボル長は短くなることは自明である。
【００３２】
時間領域において、上りリンクの物理リソースブロックを構成するシンボルは、ＳＣ−ＦＤＭＡ（ＤＦＴ−Ｓ−ＯＦＤＭ）シンボル、または、ＯＦＤＭシンボルである。時間領域において、下りリンクの物理リソースブロックを構成するシンボルは、ＯＦＤＭシンボルである。この点を除いて、本実施形態における下りリンクの物理リソースブロックの構成は、上りリンクの物理リソースブロックの構成と基本的に同じであるため、下りリンクの物理リソースブロックの構成の説明は省略する。
【００３３】
次に、本実施形態に係る物理チャネルおよび物理信号について説明する。下りリンクに関する物理チャネルおよび物理信号をそれぞれ、下りリンク物理チャネルおよび下りリンク物理信号と称してもよい。また、上りリンクに関する物理チャネルおよび物理信号をそれぞれ、上りリンク物理チャネルおよび上りリンク物理信号と称してもよい。
【００３４】
本実施形態において、物理チャネルは、報知チャネル、ランダムアクセスチャネル、制御チャネル、共用（共有）チャネルの一部、または、全部を少なくとも含む。以下、報知チャネルは、物理報知チャネルとも称する。制御チャネルは、物理制御チャネルとも称する。共用チャネルは、物理共用チャネルとも称する。
【００３５】
下りリンクに対する物理チャネルは、例えば、報知情報、システム情報、ページング情報、各種設定情報、ＡＣＫ（Ａｃｋｎｏｗｌｅｄｇｅｍｅｎｔ）／ＮＡＣＫ（Ｎｅｇａｔｉｖｅ  Ａｃｋｎｏｗｌｅｄｇｅｍｅｎｔ）、ユーザデータ、制御データを送信するために用いられてもよい。用途に応じてそれぞれ、物理チャネルに用いられるリソース割り当て方法や系列生成方法が定義されてもよい。下りリンクユーザデータには、下りリンク共用データが含まれてもよい。下りリンク共用チャネルは、少なくとも下りリンクユーザデータの送信に用いられてもよい。制御チャネルは、例えば、制御データの少なくとも一部を含んで送信されてもよい。制御データには、下りリンク制御情報（ＤＣＩ、Downlink Control Information）が含まれてもよい。下りリンク制御情報を、ＤＣＩフォーマットとも称する。制御データには、下りリンクおよび／または上りリンクのスケジューリングに用いられるグラントが含まれてもよい。即ち、下りリンク制御情報は、上りリンクグラント（uplink grant）、および、下りリンクグラント（downlink grant）を含む。制御データ（ＤＣＩ）の送信に用いられる制御チャネルは、例えば、ＰＤＣＣＨ（Physical Downlink Control Channel）とも称してもよい。また、報知情報は、物理報知チャネル（ＰＢ
ＣＨ、Physical Broadcast Channel）で送信されてもよい。ページング情報は、物理ページングチャネルで送信されてもよい。また、報知情報、システム情報、ページング情報は、物理共用チャネルで送信されてもよい。また、システム情報は、ＲＲＣシグナリングに含まれてもよい。物理共用チャネルは、ＰＤＳＣＨ（Physical Downlink Shared Channel）、および／または、ＰＵＳＣＨ（Physical Uplink Shared Channel）とも称してもよい。ＰＤＳＣＨは、ＲＲＣシグナリング、および、ＭＡＣコントロールエレメントを送信するために用いられてもよい。
【００３６】
ここで、基地局装置３と端末装置１は、上位層（higher layer）において信号をやり取り（送受信）してもよい。例えば、基地局装置３と端末装置１は、無線リソース制御（Radio Resource Control : RRC）層において、ＲＲＣシグナリング（RRC message、RRC informationとも称される）を送受信してもよい。また、基地局装置３と端末装置１は、ＭＡＣ（Medium Access Control）層において、ＭＡＣコントロールエレメントをやり取り（
送受信）してもよい。ここで、ＲＲＣシグナリング、および／または、ＭＡＣコントロールエレメントを、上位層の信号（higher layer signaling）とも称する。
【００３７】
本実施形態において、「上位層のパラメータ」、「上位層のメッセージ」、「上位層の信号」、「上位層の情報」、および、「上位層の情報要素」は、同一のものであってもよい。
【００３８】
下りリンクに対する物理信号は、例えば、下りリンク物理チャネルの復調、時間周波数同期（シンボルアラインメント、サブキャリア間隔同期、スロット同期、サブフレーム同期）、タイミング同期（タイミング調整）、セルＩＤの捕捉／検出、ＲＲＭ（Ｒａｄｉｏ
Ｒｅｓｏｕｒｃｅ  Ｍａｎａｇｅｍｅｎｔ）測定、ＣＳＩ（Ｃｈａｎｎｅｌ  Ｓｔａｔｅ  Ｉｎｆｏｒｍａｔｉｏｎ）測定、ビームマネジメントおよび／またはビーム捕捉、ポジショニングのために用いられてもよい。用途に応じてそれぞれ、物理信号に用いられる
リソース割り当て方法や系列生成方法が定義されてもよい。以下、物理信号は、参照信号とも称する。
【００３９】
上りリンクに対する物理チャネルは、例えば、端末装置の能力情報、ＡＣＫ（Ａｃｋｎｏｗｌｅｄｇｅｍｅｎｔ）／ＮＡＣＫ（Ｎｅｇａｔｉｖｅ  Ａｃｋｎｏｗｌｅｄｇｅｍｅｎｔ）、ＲＲＭ測定やＣＳＩ測定の測定結果の報告、ユーザデータ、制御データ、ランダムアクセスプリアンブル（ランダムアクセス情報）を送信するために用いられてもよい。用途に応じてそれぞれ、物理チャネルに用いられるリソース割り当て方法や系列生成方法が定義されてもよい。上りリンクユーザデータには、上りリンク共用データが含まれてもよい。ユーザデータおよび／または制御データには、上りリンク制御情報（ＵＣＩ）が含まれてもよい。ＵＣＩは、ＨＡＲＱ（Ｈｙｂｒｉｄ  Ａｕｔｏ  Ｒｅｐｅａｔ  ｒｅＱｕｅｓｔ）やＣＳＩに関するフィードバック情報が含まれてもよい。ユーザデータは、物理共用チャネルで送信されてもよい。制御データは、物理制御チャネルで送信されてもよい。ランダムアクセスプリアンブルは、物理ランダムアクセスチャネルで送信されてもよい。
【００４０】
上りリンクに対する物理信号は、例えば、上りリンク物理チャネルの復調、時間周波数同期、タイミング同期およびタイミング調整、チャネル状態測定、ビームマネジメントおよび／またはビーム捕捉、端末装置のポジショニングのために用いられてもよい。用途に応じてそれぞれ、物理信号に用いられるリソース割り当て方法や系列生成方法が定義されてもよい。
【００４１】
下りリンクと上りリンクで、リソース割り当て方法や系列生成方法は異なってもよい。また、各物理チャネルは、ある情報、または、あるデータを含む物理チャネルと称されてもよい。
【００４２】
また、本実施形態の下りリンクにおいて、「トランスポートブロック(transport block)」、「ＭＡＣ  ＰＤＵ（Protocol Data Unit）」、「ＭＡＣ層のデータ」、「ＤＬ−Ｓ
ＣＨ」、「ＤＬ−ＳＣＨデータ」、および、「下りリンクデータ」は、同一のものとする。なお、上りリンクにおいて、「トランスポートブロック」、「ＭＡＣ  ＰＤＵ（Protocol Data Unit）」、「ＭＡＣ層のデータ」、「ＵＬ−ＳＣＨ」、「ＵＬ−ＳＣＨデータ」、および、「上りリンクデータ」は、同一のものとする。ＵＬ−ＳＣＨ、および、ＤＬ−ＳＣＨは、トランスポートチャネルである。媒体アクセス制御（Medium Access Control:
MAC）層で用いられるチャネルをトランスポートチャネルと称する。ＭＡＣ層で用いられるトランスポートチャネルの単位を、トランスポートブロック（transport block: TB）
またはＭＡＣ  ＰＤＵ（Protocol Data Unit）とも称する。
【００４３】
以下、本実施形態に係わるＰＤＣＣＨについて説明する。
【００４４】
前述したように、ＰＤＣＣＨは、少なくとも下りリンク制御情報の送信に用いられてもよい。ＰＤＣＣＨは、コモンＰＤＣＣＨ（Ｃｏｍｍｏｎ  ＰＤＣＣＨ）、および／または、ＵＥスペシフィックＰＤＣＣＨ（ＵＥ  ｓｐｅｃｉｆｉｃ  ＰＤＣＣＨ）を含んでいる。コモンＰＤＣＣＨは、セルまたはキャリア内における複数の端末装置１に対して共通の制御情報を送信する。ここで、コモンＰＤＣＣＨは、セルコモンＰＤＣＣＨ、および、グループコモンＰＤＣＣＨ（Ｇｒｏｕｐ  Ｃｏｍｍｏｎ  ＰＤＣＣＨ）に分けられてもよい。つまり、セルコモンＰＤＣＣＨは、セル内の端末装置１に対して共通の制御情報を送信してもよい。グループコモンＰＤＣＣＨは、ある端末装置１のグループに共通な制御情報を送信してもよい。グループコモンＰＤＣＣＨは、グループ内の複数の端末装置１に共通に用いられる設定を指示するために用いられてもよい。言い換えると、該グループに属している端末装置１は、該グループコモンＰＤＣＣＨをモニタ（デコード）することができ
る。該グループ以外の端末装置１は、該グループコモンＰＤＣＣＨをモニタ（デコード）しない。ＵＥスペシフィックＰＤＣＣＨは、セルまたはキャリア内におけるある端末装置１に対して専用の制御情報を送信する。本実施形態において、ＰＤＣＣＨはＤＣＩフォーマットであってもよい。
【００４５】
端末装置１が、モニタするＰＤＣＣＨ候補（PDCCH candidates）のセットは、サーチスペース（制御チャネルサーチスペース）とも称される。ここで、ＰＤＣＣＨ候補とは、基地局装置３によって、ＰＤＣＣＨが、配置および／または送信される可能性のある候補を示していてもよい。サーチスペースには、コモンサーチスペース（Ｃｏｍｍｏｎ  Ｓｅａｒｃｈ  Ｓｐａｃｅ：ＣＳＳ）が含まれてもよい。例えば、コモンサーチスペースは、複数の端末装置１に対して共通なスペースとして定義されてもよい。ここで、コモンサーチスペースは、セルコモンＰＤＣＣＨ候補のセットを含んでもよい。また、コモンサーチスペースは、グループコモンＰＤＣＣＨ候補のセットを含んでもよい。また、コモンサーチスペースは、予め決められた番号のＰＤＣＣＨ候補を含んでもよい。また、コモンサーチスペースは、端末装置１固有のパラメータとは関係なく与えられてもよい。また、コモンサーチスペースは、基地局装置３によって報知されるシステム情報によって与えられてもよい。また、モニタとは、モニタされる全てのＤＣＩフォーマットに応じて、ＰＤＣＣＨ候補のセット内のＰＤＣＣＨのそれぞれに対して、端末装置１がデコードを試みるという意味が含まれてもよい。
【００４６】
また、サーチスペースには、ＵＥスペシフィックサーチスペース（UE-specific Search
Space : USS）が含まれてもよい。例えば、ＵＥスペシフィックサーチスペースは、少なくとも、端末装置１に対して割り当てられるＣ−ＲＮＴＩに基づいて与えられてもよい。端末装置１は、コモンサーチスペース、および／または、ＵＥスペシフィックサーチスペースにおいて、ＰＤＣＣＨをモニタし、自装置宛てのＰＤＣＣＨを検出してもよい。
【００４７】
ここで、ＰＤＣＣＨでの送信には、基地局装置３が、端末装置１に割り当てたＲＮＴＩが利用されてもよい。具体的には、ＤＣＩフォーマット（ＰＤＣＣＨ）にＣＲＣ（Cyclic
Redundancy check : 巡回冗長検査）パリティビットが付加され、付加された後に、ＣＲＣパリティビットがＲＮＴＩによってスクランブルされてもよい。ここで、ＤＣＩフォーマットに付加されるＣＲＣパリティビットは、ＤＣＩフォーマットのペイロードから得られてもよい。  ここで、本実施形態において、「ＣＲＣパリティビット」、「ＣＲＣビット」、および、「ＣＲＣ」は同一のであってもよい。また、「ＣＲＣパリティビットが付加されたＤＣＩフォーマットが送信されるＰＤＣＣＨ」、「ＣＲＣパリティビットを含み、且つ、ＤＣＩフォーマットを含むＰＤＣＣＨ」、「ＣＲＣパリティビットを含むＰＤＣＣＨ」、および、「ＤＣＩフォーマットを含むＰＤＣＣＨ」は、同一であってもよい。また、「Ｘを含むＰＤＣＣＨ」、および、「ＸをともなうＰＤＣＣＨ」は、同一であってもよい。端末装置１は、ＤＣＩフォーマットをモニタしてもよい。また、端末装置１は、ＤＣＩをモニタしてもよい。また、端末装置１は、ＰＤＣＣＨをモニタしてもよい。
【００４８】
端末装置１は、ＲＮＴＩによってスクランブルされたＣＲＣパリティビットが付加されたＰＤＣＣＨに対してデコードを試み、ＣＲＣが成功したＰＤＣＣＨを、自装置宛のＰＤＣＣＨとして検出する（ブラインドデコーディングとも称される）。すなわち、端末装置１は、ＲＮＴＩによってスクランブルされたＣＲＣを伴うＰＤＣＣＨを検出してもよい。また、端末装置１は、ＲＮＴＩによってスクランブルされたＣＲＣパリティビットが付加されたＤＣＩフォーマットを伴うＰＤＣＣＨを検出してもよい。
【００４９】
例えば、上述したＣ−ＲＮＴＩ（Cell-Radio Network Temporary Identifier）は、Ｒ
ＲＣ接続およびスケジューリングの識別に対して使用される、端末装置１に対するユニークな（一意的な）識別子であってもよい。また、Ｃ−ＲＮＴＩは、動的（dynamically）
にスケジュールされるユニキャスト送信のために利用されてもよい。
【００５０】
また、例えば、グループコモンＰＤＣＣＨを検出するため、基地局装置３は、端末装置１に対してＧ−ＲＮＴＩを割り当ててもよい。即ち、グループコモンＰＤＣＣＨの検出は、少なくとも、端末装置１に対して割り当てられるＧ−ＲＮＴＩに基づいて与えられてもよい。Ｇ−ＲＮＴＩ（Group Radio Network Temporary Identifier）は、共通情報送信のために少なくとも用いられてもよい。Ｇ−ＲＮＴＩの値は該情報の受信ための端末装置１へ通知してもよい。Ｇ−ＲＮＴＩの値は、仕様書などによって予め決められた値であってもよい。共通情報受信のために用いられるグループコモンＰＤＣＣＨに付加されるＣＲＣパリティビットは、Ｇ−ＲＮＴＩによってスクランブルされてもよい。端末装置１は、サーチスペースにおいて、グループコモンＰＤＣＣＨをモニタし、自装置宛てのグループコモンＰＤＣＣＨを検出してもよい。
【００５１】
ＰＤＣＣＨ候補は、複数のＣＣＥ（Control Channel Element）に対応する。ＣＣＥは
複数のリソースエレメントグループ（ＲＥＧ）から構成される。ＲＥＧは、１つのＯＦＤＭシンボルにおいて、１つのＲＢである。ＲＥＧは、該ＲＥＧを復調するために用いられる参照信号を含んで構成されてもよい。１つのＣＣＥは、所定の数のリソースエレメントにより与えられてもよい。ＰＤＣＣＨ候補に対応するＣＣＥの数をアグリゲーションレベルと称する。
【００５２】
以下、本実施形態において、スロットストラクチャーについて、説明する。
【００５３】
本実施形態において、スロットストラクチャー（スロットタイプ、スロットフォーマット）は、４つのタイプを少なくとも含んでいる。図３は本実施形態におけるスロットストラクチャーの一例を示す図である。
【００５４】
本実施形態におけるスロットストラクチャーは、（ｉ）下りリンクオンリー（downlink
only）スロット、（ｉｉ）下りリンクセントリック（downlink centric）スロット、（
ｉｉｉ）上りリンクセントリック（uplink centric）スロット、および、（ｉｖ）上りリンクオンリー（uplink only）スロットを有する。
【００５５】
図３のように、（ｉ）下りリンクオンリースロットを構成する全てのシンボルは、下りリンク送信に用いられてもよい。また、該スロットを構成する一部のシンボルは、ギャップに用いられてもよい。また、該スロットを構成する一部のシンボルは、ブランクのシンボルとしてリザーブされてもよい。言い換えると、下りリンクオンリースロットは、上りリンク送信に用いられなくてもよい。つまり、端末装置は、下りリンクオンリースロットにおいて、上りリンク送信がスケジュールされることを期待しなくてもよい。
【００５６】
（ｉｉ）下りリンクセントリックスロットは、下りリンク、ギャップ、および、上りリンクを有するスロットである。ここで、下りリンクセントリックスロットは、主に下りリンクデータ（例えば、下りリンク制御データ、および／または、下りリンクユーザデータ）の送信に用いられる。下りリンクセントリックスロットにおける一部分のシンボルは、上りリンクデータ（例えば、上りリンク制御データ、および／または、上りリンクユーザデータ）の送信に用いられてもよい。下りリンクセントリックスロットにおいて、上りリンク送信に用いられるシンボルの数は、下りリンク送信に用いられるシンボルの数より多くてもよい。
【００５７】
（ｉｉｉ）上りリンクセントリックスロットは下りリンク、ギャップ、および、上りリンクを有するスロットである。上りリンクセントリックスロットは、主に上りリンクデータ（例えば、上りリンク制御データ、および／または、上りリンクユーザデータ）の送信
に用いられる。上りリンクセントリックスロットにおける一部分のシンボルは、下りリンクデータ（例えば、下りリンク制御データ、および／または、下りリンクユーザデータ）の送信に用いられてもよい。上りリンクセントリックスロットにおいて、下りリンク送信に用いられるシンボルの数は、上りリンク送信に用いられるシンボルの数より多くてもよい。
【００５８】
（ｉｖ）上りリンクオンリースロットを構成する全てのシンボルは、上りリンク送信に用いられてもよい。また、該スロットを構成する一部のシンボルは、ギャップに用いられてもよい。また、該スロットを構成する一部のシンボルは、ブランクのシンボルとしてリザーブされてもよい。言い換えると、上りリンクオンリースロットは、下りリンク送信に用いられなくてもよい。つまり、端末装置は、上りリンクオンリースロットにおいて、下りリンク物理チャネルを受信しなくてもよい。
【００５９】
本実施形態において、グループコモンＰＤＣＣＨは、スロットストラクチャーのグループ情報を送信してもよい。グループ情報は該グループに属している複数のスロットストラクチャーを示す。例えば、第１のスロットストラクチャーグループは、下りリンクオンリースロット、下りリンクセントリックスロット、および、上りリンクセントリックスロットを有する。また、第２のスロットストラクチャーグループは、下りリンクオンリースロット、下りリンクセントリックスロット、上りリンクセントリックスロット、ブランクスロットを有してもよい。第３のスロットストラクチャーグループは、上りリンクオンリースロットを有する。第４のスロットストラクチャーグループは、上りリンクオンリースロット、および、ブランクスロットを有してもよい。
【００６０】
本実施形態において、グループコモンＰＤＣＣＨは、スロットストラクチャーに関連する情報を含んでもよい。また、本実施形態において、グループコモンＰＤＣＣＨは、現スロット（current slot）、および、次のスロットのスロットストラクチャーに関する情報を含んでもよい。現スロットは、グループコモンＰＤＣＣＨを受信したスロットである。次のスロットは、グループコモンＰＤＣＣＨを受信したスロットより１つ後ろのスロットである。基地局装置３は、グループコモンＰＤＣＣＨによって、現スロット、および／または、次のスロットに対するスロットストラクチャーに関する情報を端末装置１へ送信してもよい。
【００６１】
本実施形態において、基地局装置３は、グループコモンＰＤＣＣＨにおいて、現スロット、および、次のスロットに関するスロットストラクチャーを示すフィールドを別々に割り当ててもよい。つまり、基地局装置３はグループコモンＰＤＣＣＨにフィールドを２つ割り当て、第１のフィールドが現スロットのスロットストラクチャーを示し、第２のフィールドが次のスロットのスロットストラクチャーを示してもよい。つまり、グループコモンＰＤＣＣＨは、第１のフィールドと第２のフィールドを含んでもよい。端末装置１は、それぞれのフィールドに基づいて、現スロットと次のスロットのスロットストラクチャーを知る。
【００６２】
現スロットのスロットストラクチャーを示す第１のフィールドと次のスロットのスロットストラクチャーを示す第２のフィールドのそれぞれのビット数が同じに設定されてもいいし、異なって設定されてもよい。例えば、第１のフィールドと第２のフィールドのそれぞれのビット数が２ビットであってもよい。図４は、本実施形態におけるスロットストラクチャーにマッピングされるフィールドの一例である。図４（Ａ）は、第１のフィールドのビット数が２ビットに設定された場合の一例である。図４（Ｂ）は、第２のフィールドのビット数が２ビットに設定された場合の一例である。この場合、端末装置１は、検出されたグループコモンＰＤＣＣＨに含まれる第１のフィールドと第２のフィールドをそれぞれに図４（Ａ）と（Ｂ）と参照し、現スロットおよび次のスロットのスロットストラクチ
ャーを決定してもよい。図４（Ａ）において、第１のフィールドが００にマッピングされた場合、端末装置１は、現スロットのスロットストラクチャーを下りリンクオンリースロットに決定してもよい。また、図４（Ａ）において、第１のフィールドが１１にマッピングされた場合、端末装置１は、該スロットをブランクスロットとみなしてもよい。端末装置１は、ブランクスロットにおいて、下りリンクの受信、および、上りリンクの送信を行わない。また、端末装置１は、ブランクスロットにおいて、ＵＥスペシフィックＰＤＣＣＨをモニタしなくてもよい。また、端末装置１は、ブランクスロットにおいて、第１の物理信号を測定（受信）してもよい。例えば、第１の物理信号は、ＣＳＩ−ＲＳの測定に用いられる参照信号であってもよい。また、第１の物理信号は、ビームマネジメントおよび／またはビーム捕捉、ポジショニングのために用いられる参照信号であってもよい。また、第１の物理信号は、時間周波数同期、タイミング同期、セルＩＤの捕捉／検出のために用いられる参照信号であってもよい。また、端末装置１は、ブランクスロットにおいて、第２の物理信号を受信しなくてもよい。例えば、第２の物理信号は、物理チャネルの復調のために用いられる参照信号であってもよい。例えば、第２の物理信号は、物理チャネルの伝搬路補正を行うために用いられる参照信号であってもよい。また、図４（Ａ）において、第１のフィールドが１１にマッピングされた場合、端末装置１は、該スロットが他の目的にリザーブされるとみなしてもよい。図４（Ｂ）において、第２のフィールドが００にマッピングされた場合、端末装置１は、次のスロットを下りリンクオンリースロットに決定してもよい。図４（Ｂ）において、第２のフィールドが０１にマッピングされた場合、端末装置１は、次のスロットのスロットストラクチャーを下りリンクセントリックスロットに決定してもよい。図４（Ｂ）において、第２のフィールドが１０にマッピングされた場合、端末装置１は、次のスロットのスロットストラクチャーを上りリンクセントリックスロットに決定してもよい。この場合、端末装置１は、次のスロットにおいて、ＰＤＣＣＨ（例えば、グループコモンＰＤＣＣＨ、および／または、ＵＥスペシフィックＰＤＣＣＨ）をモニタしてもよい。また、図４（Ｂ）において、第２のフィールドが１１にマッピングされた場合、端末装置１は、次のスロットを上りリンクオンリースロットとみなしてもよい。この場合、端末装置１は、次のスロットにおいて、ＰＤＣＣＨ（例えば、グループコモンＰＤＣＣＨ、および／または、ＵＥスペシフィックＰＤＣＣＨ）をモニタしなくてもよい。
【００６３】
また、例えば、第１のフィールドが２ビットに設定され、第２のフィールドが１ビットに設定されてもよい。図４（Ｃ）は、第２のフィールドのビット数が１ビットに設定された場合の一例である。この場合、端末装置１は、検出されたグループコモンＰＤＣＣＨに含まれる第１のフィールドと図４（Ａ）とを参照し、現スロットのスロットストラクチャーを決定してもよい。また、端末装置１は、検出されたグループコモンＰＤＣＣＨに含まれる第２のフィールドと図４（Ｃ）とを参照し、次のスロットのスロットストラクチャーを決定してもよい。図４（Ｃ）において、第２のフィールドが０にマッピングされた場合、端末装置１は、次のスロットのスロットストラクチャーをタイプＡに決定してもよい。また、第２のフィールドが１にマッピングされた場合、端末装置１は、次のスロットのスロットストラクチャーをタイプＢに決定してもよい。ここで、タイプＡは第１のスロットストラクチャーグループであってもよい。また、タイプＡは第２のスロットストラクチャーグループであってもよい。タイプＢは第３のスロットストラクチャーグループであってもよい。タイプＢは、第４のスロットストラクチャーグループであってもよい。また、第２のフィールドが０にマッピングされた場合、端末装置１は、次のスロットにおいて、グループコモンＰＤＣＣＨをモニタしてもよい。また、第２のフィールドが０にマッピングされた場合、端末装置１は、次のスロットにおいて、ＵＥスペシフィックＰＤＣＣＨをモニタしてもよい。また、第２のフィールドが１にマッピングされた場合、端末装置１は、次のスロットにおいて、グループコモンＰＤＣＣＨをモニタしなくてもよい。また、第２のフィールドが１にマッピングされた場合、端末装置１は、次のスロットにおいて、ＵＥスペシフィックＰＤＣＣＨをモニタしなくてもよい。
【００６４】
第１のフィールドと第２のフィールドのビット数は仕様書の記載、または、予め基地局装置３からの上位層のパラメータの情報の一部、または、全部に少なくとも基づき与えられてもよい。
【００６５】
また、本実施形態において、基地局装置３は現スロット、および、次のスロットに関するスロットストラクチャーを示すフィールドが１つに設定してもよい。つまり、基地局装置３はグループコモンＰＤＣＣＨに第３のフィールドを１つ割り当て、該第３のフィールドが現スロットのスロットストラクチャー、および、次のスロットのスロットストラクチャーを示してもよい。端末装置１は、受信したグループコモンＰＤＣＣＨに含まれる第３のフィールドに基づいて、現スロットと次のスロットのスロットストラクチャーを知る。
【００６６】
基地局装置３がグループコモンＰＤＣＣＨに第３のフィールドを割り当てる一例について説明する。例えば、第３のフィールドのビット数が３ビットであってもよい。図５は、本実施形態におけるスロットストラクチャーにマッピングされるフィールドの他の一例である。図５は、第３のフィールドのビット数が３ビットに設定された場合の一例である。端末装置１は、検出されたグループコモンＰＤＣＣＨに含まれる第３のフィールドを図５と参照し、現スロットおよび次のスロットのスロットストラクチャーを決定してもよい。例えば、第３のフィールドが０１０にマッピングされた場合、端末装置１は、図５を参照し、現スロットを下りリンクセントリックスロット、次のスロットをタイプＡに決定してもよい。ここで、図５におけるタイプＡとタイプＢは、図４（Ｃ）におけるタイプＡとタイプＢと同じであってもよい。即ち、次のスロットがタイプＡに示された場合、端末装置１は、次のスロットにおいて、グループコモンＰＤＣＣＨをモニタしてもよい。また、次のスロットがタイプＡに示された場合、端末装置１は、次のスロットにおいて、ＵＥスペシフィックＰＤＣＣＨをモニタしてもよい。また、次のスロットがタイプＢに示された場合、端末装置１は、次のスロットにおいて、グループコモンＰＤＣＣＨをモニタしなくてもよい。また、次のスロットがタイプＢに示された場合、端末装置１は、次のスロットにおいて、ＵＥスペシフィックＰＤＣＣＨをモニタしなくてもよい。
【００６７】
また、本実施形態において、グループコモンＰＤＣＣＨをモニタするかどうかを指示する情報は、ＲＲＣシグナリングに少なくとも基づき与えられてもよい。即ち、基地局装置３は、グループコモンＰＤＣＣＨをモニタするかどうかを指示するＲＲＣシグナリングを端末装置１に送信してもよい。端末装置１がグループコモンＰＤＣＣＨをモニタしないよう指示するＲＲＣシグナリングを受信した場合、端末装置１は、グループコモンＰＤＣＣＨのモニタを終了してもよい。また、端末装置１がグループコモンＰＤＣＣＨをモニタするよう指示するＲＲＣシグナリングを受信した場合、端末装置１は、グループコモンＰＤＣＣＨのモニタを開始してもよい。
【００６８】
また、本実施形態において、スロットストラクチャーを示す情報は、ＲＲＣシグナリングに少なくとも基づき与えられてもよい。基地局装置３は、各スロットのスロットストラクチャー情報を示すＲＲＣパラメータを含むＲＲＣシグナリングを端末装置１に送信してもよい。端末装置１は、各スロットのスロットストラクチャー情報を示すＲＲＣパラメータを含むＲＲＣシグナリングを受信してから、各スロットのスロットストラクチャー情報を知る。そして、端末装置１は、各スロットのスロットストラクチャー情報に少なくとも基づいて、該スロットにおいて、グループコモンＰＤＣＣＨをモニタするかどうかを判断してもよい。図６は、本実施形態における各スロットのスロットストラクチャー情報を示す一例の図である。一例として、図６（Ａ）の示すように、基地局装置３は、１０ｍｓのスロットストラクチャーの配置を示すＲＲＣパラメータを含むＲＲＣシグナリングを端末装置１に送信してもよい。ここで、１つのスロットは１ｍｓである。端末装置１は、受信したＲＲＣシグナリングに基づいて、スロットごとのスロットストラクチャーを判断して
もよい。例えば、図６（Ａ）において、スロットｎが上りリンクオンリースロットに設定された場合、端末装置１は、該スロットにおいて、グループコモンＰＤＣＣＨをモニタしなくてもよい。また、スロットｎが上りリンクオンリースロットに設定された場合、端末装置１は、該スロットにおいて、ＵＥスペシフィックＰＤＣＣＨをモニタしなくてもよい。
【００６９】
また、例えば、図６（Ａ）において、スロットｎ＋１が下りリンクオンリースロットに設定された場合、端末装置１は、スロットｎ＋１において、グループコモンＰＤＣＣＨをモニタしてもよい。また、スロットｎ＋１が下りリンクオンリースロットに設定された場合、端末装置１は、スロットｎ＋１において、ＵＥスペシフィックＰＤＣＣＨをモニタしてもよい。
【００７０】
また、グループコモンＰＤＣＣＨをモニタするかどうかを指示する情報は、ＲＲＣシグナリングに少なくとも基づき与えられてもよい。即ち、基地局装置３は、グループコモンＰＤＣＣＨをモニタするよう指示されたスロットの情報を示すＲＲＣパラメータを含むＲＲＣシグナリングを端末装置１に送信してもよい。ここで、スロットの情報は、スロットのインデックス情報であってもよい。即ち、基地局装置３は、グループコモンＰＤＣＣＨをモニタするよう指示されたスロットのインデックス情報、および／または、グループコモンＰＤＣＣＨをモニタしないよう指示されたスロットのインデックス情報を端末装置１へ通知してもよい。端末装置１は、グループコモンＰＤＣＣＨをモニタするよう指示されたスロットの情報を示すＲＲＣパラメータを含むＲＲＣシグナリングを受信した場合、スロットの何れかでグループコモンＰＤＣＣＨをモニタするかを知る。一例として、図６（Ｂ）の示すように、基地局装置３は、１０ｍｓのスロットの配置をベースとして、グループコモンＰＤＣＣＨをモニタするよう指示されたスロットの情報を示すＲＲＣパラメータを含むＲＲＣシグナリングを端末装置１に送信してもよい。端末装置１は、受信したＲＲＣシグナリングに基づいて、各スロットにおいて、グループコモンＰＤＣＣＨをモニタするかどうかを判断してもよい。例えば、図６（Ｂ）において、スロットｎがＲＲＣパラメータにグループコモンＰＤＣＣＨをモニタするよう指示されなかった場合、端末装置１は、スロットｎにおいて、グループコモンＰＤＣＣＨをモニタしなくてもよい。また、スロットｎがＲＲＣパラメータにグループコモンＰＤＣＣＨをモニタするよう指示されなかった場合、端末装置１は、スロットｎにおいて、ＵＥスペシフィックＰＤＣＣＨをモニタしなくてもよい。
【００７１】
また、例えば、図６（Ｂ）において、スロットｎ＋１がＲＲＣパラメータにグループコモンＰＤＣＣＨをモニタするよう指示された場合、端末装置１は、スロットｎ＋１において、グループコモンＰＤＣＣＨをモニタしてもよい。また、スロットｎ＋１がＲＲＣパラメータにグループコモンＰＤＣＣＨをモニタするよう指示された場合、端末装置１は、スロットｎ＋１において、ＵＥスペシフィックＰＤＣＣＨをモニタしてもよい。
【００７２】
以下、ＲＲＣパラメータは、各スロットのスロットストラクチャー情報を示す第１のＲＲＣパラメータ、および、グループコモンＰＤＣＣＨをモニタするよう指示されたスロットの情報を示す第２のＲＲＣパラメータを含んでいる。
【００７３】
以下、本実施形態において、端末装置１が前述したＲＲＣパラメータとグループコモンＰＤＣＣＨに含まれるフィールドから示されるスロットストラクチャー情報に基づいて、グループコモンＰＤＣＣＨをモニタするかどうかの判断方法について説明する。
【００７４】
判断方法は、基地局装置３が、グループコモンＰＤＣＣＨをモニタするかどうかを指示するＲＲＣパラメータを含むＲＲＣシグナリングを送信し、かつ、ｎ−１におけるグループコモンＰＤＣＣＨにスロットｎのスロットストラクチャー情報を示すフィールドを割り
当て、端末装置１が、（ｉ）スロットｎ−１におけるグループコモンＰＤＣＣＨに割り当てられたフィールドから示されるスロットストラクチャー情報と、（ｉｉ）ＲＲＣシグナリングから含まれるＲＲＣパラメータに少なくとも基づいて、スロットｎにおいて、グループコモンＰＤＣＣＨをモニタするかどうかを判断する方法である。
【００７５】
前述したように、グループコモンＰＤＣＣＨに含まれるロットストラクチャー情報を示すフィールドは、次のスロットのスロットストラクチャーを示す第２のフィールドであってもよい。また、グループコモンＰＤＣＣＨに含まれるフィールドは、次のスロットのスロットストラクチャーを示す第３のフィールドであってもよい。グループコモンＰＤＣＣＨに含まれるスロットストラクチャー情報を示すフィールドは、グループコモンＰＤＣＣＨのモニタを判断するスロットより前の１つのスロットにおいて送信される。即ち、グループコモンＰＤＣＣＨに含まれるスロットストラクチャー情報を示すフィールドは、グループコモンＰＤＣＣＨが送信されたスロットより後ろの１つのスロットに用いられる。具体的にいうと、端末装置１がスロットｎ−１において、スロットストラクチャー情報を示すフィールドを含むグループコモンＰＤＣＣＨを検出した場合、端末装置１は、グループコモンＰＤＣＣＨに含まれる前記スロットストラクチャー情報に少なくとも基づき、スロットｎにおいて、グループコモンＰＤＣＣＨをモニタするかどうかを判断してもよい。
【００７６】
以下、端末装置１が、グループコモンＰＤＣＣＨに含まれるフィールドを受信しなかった場合、ＲＲＣパラメータに基づいて、グループコモンＰＤＣＣＨをモニタするかどうかについて説明する。即ち、端末装置１は、前スロットにおいてグループコモンＰＤＣＣＨを検出またはモニタしなかった場合、ＲＲＣシグナリングに含まれるＲＲＣパラメータに基づいて、現スロットにおいて、グループコモンＰＤＣＣＨをモニタするかどうかを判断してもよい。
【００７７】
具体的に、端末装置１がスロットｎ−１において、グループコモンＰＤＣＣＨを検出しなかった場合、端末装置１は、受信したＲＲＣメッセージに含まれるＲＲＣパラメータに基づいて、スロットｎにおいて、グループコモンＰＤＣＣＨをモニタするかどうかを判断してもよい。例えば、端末装置１がスロットｎ−１においてグループコモンＰＤＣＣＨを検出（モニタ）しなかった場合、かつ、ＲＲＣシグナリングによって，スロットｎにおいてグループコモンＰＤＣＣＨをモニタするように指示された場合、端末装置１は、該スロットｎにおいて、グループコモンＰＤＣＣＨをモニタしてもよい。また、例えば、端末装置１がスロットｎ−１においてグループコモンＰＤＣＣＨを検出（モニタ）しなかった場合、かつ、ＲＲＣシグナリングによって、スロットｎにおいてグループコモンＰＤＣＣＨをモニタするように指示されなかった場合、端末装置１は、スロットｎにおいて、グループコモンＰＤＣＣＨをモニタしなくてもよい。
【００７８】
以下、端末装置１が、ＲＲＣパラメータを含むＲＲＣシグナリングとグループコモンＰＤＣＣＨの両方を受信した場合、ＲＲＣパラメータ、および／または、グループコモンＰＤＣＣＨに示されるスロットストラクチャー情報に少なくとも基づいて、グループコモンＰＤＣＣＨをモニタするかどうかについて説明する。即ち、端末装置１がスロットｎ−１においてグループコモンＰＤＣＣＨを検出した場合、端末装置１は、検出したグループコモンＰＤＣＣＨに含まれるフィールドから示されるスロットストラクチャー情報に少なくとも基づいて、スロットｎにおいて、グループコモンＰＤＣＣＨをモニタするかどうかを判断してもよい。
【００７９】
例えば、端末装置１がスロットｎ−１においてグループコモンＰＤＣＣＨを検出し、かつ、検出したグループコモンＰＤＣＣＨに含まれるフィールドが次のスロットをタイプＡであると示した場合、端末装置１は、スロットｎにおけるグループコモンＰＤＣＣＨをモニタするか否かを指示するＲＲＣシグナリングに基づかず、スロットｎにおいて、グルー
プコモンＰＤＣＣＨをモニタしてもよい。即ち、端末装置１がスロットｎ−１においてグループコモンＰＤＣＣＨを検出し、かつ、検出したグループコモンＰＤＣＣＨに含まれるフィールドが次のスロットをタイプＡであると示した場合、端末装置１は、グループコモンＰＤＣＣＨをモニタするよう指示されたスロット以外のスロットｎにおいて、グループコモンＰＤＣＣＨをモニタしてもよい。また、端末装置１がスロットｎ−１においてグループコモンＰＤＣＣＨを検出し、かつ、検出したグループコモンＰＤＣＣＨに含まれるフィールドが次のスロットをタイプＡであると示した場合、端末装置１は、グループコモンＰＤＣＣＨをモニタするよう指示されたスロットｎにおいて、グループコモンＰＤＣＣＨをモニタしてもよい。
【００８０】
また、例えば、端末装置１がスロットｎ−１においてグループコモンＰＤＣＣＨを検出し、かつ、検出したグループコモンＰＤＣＣＨに含まれるフィールドが次のスロットをタイプＢであると示した場合、端末装置１は、スロットｎにおけるグループコモンＰＤＣＣＨをモニタするか否かを指示するＲＲＣシグナリングに基づかず、スロットｎにおいて、グループコモンＰＤＣＣＨをモニタしなくてもよい。即ち、端末装置１がスロットｎ−１においてグループコモンＰＤＣＣＨを検出し、かつ、検出したグループコモンＰＤＣＣＨに含まれるフィールドが次のスロットをタイプＢであると示した場合、端末装置１は、グループコモンＰＤＣＣＨをモニタするよう指示されたスロット以外のスロットｎにおいて、グループコモンＰＤＣＣＨをモニタしなくてもよい。また、端末装置１がスロットｎ−１においてグループコモンＰＤＣＣＨを検出し、かつ、検出したグループコモンＰＤＣＣＨに含まれるフィールドが次のスロットをタイプＢであると示した場合、端末装置１は、グループコモンＰＤＣＣＨをモニタするよう指示されたスロットｎにおいて、グループコモンＰＤＣＣＨをモニタしなくてもよい。
【００８１】
以下、端末装置１は、前スロットにおいてグループコモンＰＤＣＣＨを検出またはモニタしなかった場合、ＲＲＣシグナリングに含まれる情報に基づいて、現スロットにおいて、グループコモンＰＤＣＣＨをモニタするかどうかを判断してもよい。
【００８２】
以下、基地局装置３が各スロットでグループコモンＰＤＣＣＨをモニタするか否かを指示するＲＲＣシグナリングを端末装置１に送信（設定）しなかった場合、端末装置１は、グループコモンＰＤＣＣＨに含まれるフィールドから示されるスロットストラクチャー情報に基づいて、スロットｎにおいて、グループコモンＰＤＣＣＨをモニタするかどうかを判断してもよい。
【００８３】
例えば、端末装置１がスロットｎ−１においてグループコモンＰＤＣＣＨを検出し、かつ、検出したグループコモンＰＤＣＣＨに含まれるフィールドが次のスロットをタイプＡであると示した場合、端末装置１は、スロットｎにおいて、グループコモンＰＤＣＣＨをモニタしてもよい。
【００８４】
また、例えば、端末装置１がスロットｎ−１においてグループコモンＰＤＣＣＨを検出し、かつ、検出したグループコモンＰＤＣＣＨに含まれるフィールドが次のスロットをタイプＢであると示した場合、端末装置１は、スロットｎにおいて、グループコモンＰＤＣＣＨをモニタしなくてもよい。この場合、端末装置１がスロットｎにおいて、ＵＥスペシフィックＰＤＣＣＨをモニタしなくてもよい。
【００８５】
また、例えば、端末装置１がスロットｎ−１においてグループコモンＰＤＣＣＨを検出しなかった場合、端末装置１は、スロットｎにおいて、グループコモンＰＤＣＣＨをモニタしてもよい。
【００８６】
以下、基地局装置３が全部のスロットにグループコモンＰＤＣＣＨをモニタするようを
指示するＲＲＣシグナリングを端末装置１へ設定した場合、端末装置１は、グループコモンＰＤＣＣＨに含まれるフィールドから示されるスロットストラクチャー情報に基づいて、スロットｎにおいて、グループコモンＰＤＣＣＨをモニタするかどうかを判断してもよい。
【００８７】
例えば、端末装置１がスロットｎ−１においてグループコモンＰＤＣＣＨを検出し、かつ、検出したグループコモンＰＤＣＣＨに含まれるフィールドが次のスロットをタイプＡであると示した場合、端末装置１は、スロットｎにおいて、グループコモンＰＤＣＣＨをモニタしてもよい。
【００８８】
また、例えば、端末装置１がスロットｎ−１においてグループコモンＰＤＣＣＨを検出し、かつ、検出したグループコモンＰＤＣＣＨに含まれるフィールドが次のスロットをタイプＢであると示した場合、端末装置１は、スロットｎにおいて、グループコモンＰＤＣＣＨをモニタしなくてもよい。この場合、端末装置１がスロットｎにおいて、ＵＥスペシフィックＰＤＣＣＨをモニタしなくてもよい。
【００８９】
また、例えば、端末装置１がスロットｎ−１においてグループコモンＰＤＣＣＨを検出しなかった場合、端末装置１は、スロットｎにおいて、グループコモンＰＤＣＣＨをモニタしてもよい。
【００９０】
以下、本実施形態におけるスロットのコンフィギュレーションについて説明する。
【００９１】
基地局装置３は、スロットコンフィギュレーション（Ｓｌｏｔ  Ｃｏｎｆｉｇｕｒａｔｉｏｎ）情報を含むＲＲＣシグナリングを、端末装置１に送信してもよい。スロットのコンフィギュレーションは、３つのフィールドである、下りリンク期間（ＤＬ  Ｄｕｒａｔｉｏｎ）、ギャップ（ＧＰ）、上りリンク期間（ＵＬ  Ｄｕｒａｔｉｏｎ）の一部、および／または、全部の設定に用いられる。端末装置１は、受信したＲＲＣシグナリングに含まれるスロットのコンフィギュレーション情報に基づいて、スロット内の、下りリンク用のシンボル構成、ギャップ用のシンボルの構成、上りリンク用のシンボル構成を少なくとも得てもよい。また、端末装置１は、ギャップの間に、下りリンクの受信処理から上りリンクの送信処理への切り替えを行ってもよい。
【００９２】
図７は、本実施形態におけるスロットのコンフィギュレーションの一例を示す図である。図７は２ビットを用いて、スロットコンフィギュレーション配置の種類を示す。また、基地局装置３は、‘スロットコンフィギュレーション（ｓｌｏｔ  ｃｏｎｆｉｇｕｒａｔｉｏｎ）’フィールドに２ビットより多いビットを割り当て、４種類より多いコンビネーションを設定してもよい。端末装置１は、受信した‘スロットコンフィギュレーション’フィールドを図７と参照し、該スロットに用いられるスロットコンフィギュレーションを決定してもよい。図７に記載のＳ１からＳ１２は期間の長さである。図７に記載のＳ１からＳ１２はシンボルの数で表されてもよい。ここで、シンボルの数は、０から１４までであってもよい。また、Ｓ１からＳ１２は、時間単位Ｔｓの整数倍で表されてもよい。ここで、Ｔｓは、あるサブキャリア間隔に対応するシンボルに対するサンプリング周期（サンプリング間隔、サンプリングレート）に相当してもよい。つまり、Ｔｓは、ある期間における時間連続信号に対して、サンプリングを行なう周期であってもよい。ここで、該ある期間の時間連続信号をサンプリングすることによって時間離散信号を得ることができる。該時間離散信号は、サンプル、または、サンプリング信号と称されてもよい。なお、該時間連続信号はアナログ信号と称されてもよい。該時間離散信号はディジタル信号と称されてもよい。Ｔｓは、サブキャリア間隔やサンプリングサイズに因らず、所定の値であってもよい。該Ｔｓは、該ある期間における時間連続信号に対するサンプリングサイズに基づいて決定されてもよい。つまり、該Ｔｓは、隣接する時間離散信号間の時間間隔と言い換
えることができる。ここで、該サンプリングサイズは、サンプリングを行なう数、サンプリングポイント数、または、サンプルサイズ、または、サンプル数と称されてもよい。該サンプリングサイズは、ＦＦＴ（Ｆａｓｔ  Ｆｏｕｒｉｅｒ  Ｔｒａｎｓｆｏｒｍ）サイズおよび／またはＩＦＦＴ（Ｉｎｖｅｒｓｅ  ＦＦＴ）サイズに基づいて決定されてもよい。
【００９３】
また、端末装置１は、決定したスロットコンフィギュレーションに少なくとも基づいて、スロットコンフィギュレーション’フィールドを含むグループコモンＰＤＣＣＨが受信されたスロットのスロットストラクチャー情報を決定してもよい。例えば、図７において、Ｓ１が１４シンボルに設定され、かつ、Ｓ２とＳ３が０シンボルに設定された場合、端末装置１は、該スロットを下りリンクオンリーとしてみなされてもよい。また、例えば、Ｓ１が１０シンボルに設定され、かつ、Ｓ２が２シンボルに設定され、かつ、Ｓ３が２シンボルに設定された場合、端末装置１は、該スロットを下りセントリックスロットとしてみなされてもよい。即ち、下り期間、ギャップ、上り期間を構成するシンボルの数によって、端末装置１は、該スロットのスロットストラクチャーを判断してもよい。この場合、基地局装置３は、現スロットのスロットストラクチャー情報を示すフィールドを送信しなくてもよい。即ち、‘スロットコンフィギュレーション’フィールドは暗示的にスロットのストラクチャー（タイプ）を示してもよい。基地局装置３は、スロットのコンフィギュレーションのどれかが用いられるかをグループコモンＰＤＣＣＨによって、端末装置１に通知してもよい。端末装置１は、通知したスロットのコンフィギュレーションによって、スロットの各フィールドのシンボル構成を知る。例えば、図７の場合、基地局装置３は、２ビットの‘ｓｌｏｔ  ｃｏｎｆｉｇｕｒａｔｉｏｎ’フィールドを割り当て、端末装置１は、２ビットの‘ｓｌｏｔ  ｃｏｎｆｉｇｕｒａｔｉｏｎ’フィールドにマッピングされた値によって、スロットのコンフィギュレーションのどれかを決定してもよい。
【００９４】
また、例えば、図７は、スロットのスロットストラクチャーごとのスロットコンフィギュレーションの図として定義されてもよい。スロットのストラクチャーごとには、各自のスロットのコンフィギュレーションの配置を有する。即ち、基地局装置３は、下りリンクオンリースロットに図７のような複数のスロットコンフィギュレーションを設定してもよい。基地局装置３は、下りリンクセントリックスロットのために図７のような複数のスロットコンフィギュレーションを設定してもよい。基地局装置３は、下りリンクセントリックスロットのために図７のような複数のスロットコンフィギュレーションを設定してもよい。基地局装置３は、上りリンクセントリックスロットのために図７のような複数のスロットコンフィギュレーションを設定してもよい。基地局装置３は、上りリンクオンリースロットのために図７のような複数のスロットコンフィギュレーションを設定してもよい。次に、基地局装置３は、スロットのスロットストラクチャーごとに設定されたスロットコンフィギュレーションの配置を、ＲＲＣシグナリングによって、端末装置１へ送信する。ここで、スロットコンフィギュレーションは、仕様書などによって定義され、基地局装置３と端末装置１との間において、既知の値であってもよい。そして、端末装置１は、グループコモンＰＤＣＣＨに含まれる第１のフィールドと‘ｓｌｏｔ  ｃｏｎｆｉｇｕｒａｔｉｏｎ’フィールドの両方に基づいて、スロットコンフィギュレーションのどれかを決定してもよい。即ち、基地局装置３は、現スロットのスロットストラクチャーを示す第１のフィールドと‘ｓｌｏｔ  ｃｏｎｆｉｇｕｒａｔｉｏｎ’フィールドをグループコモンＰＤＣＣＨによって、端末装置１へ送信する。端末装置１は、受信したグループコモンＰＤＣＣＨに含まれる第１のフィールドに基づいて、現スロットのスロットストラクチャーを決定してもよい。次に、端末装置１は、決定されたスロットストラクチャーに用いられるスロットコンフィギュレーションの図から、‘ｓｌｏｔ  ｃｏｎｆｉｇｕｒａｔｉｏｎ’フィールドにマッピングされた値によって、スロットコンフィギュレーションのどれかを決定してもよい。
【００９５】
図８は、本実施形態におけるスロットのコンフィギュレーションの他の一例を示す図である。図8において、（Ａ）は下りリンクオンリースロットのスロットコンフィギュレー
ションの一例であり、（Ｂ）は下りリンクセントリックスロットのスロットコンフィギュレーションの一例であり、（Ｃ）は上りリンクセントリックスロットのスロットコンフィギュレーションの一例であり、（Ｄ）は上りリンクオンリースロットのスロットコンフィギュレーションの一例である。スロットコンフィギュレーションは、基地局装置３から、ＲＲＣシグナリングによって、端末装置１に送信してもよい。また、図８のスロットのコンフィギュレーションは、仕様書などによって定義され、基地局装置３と端末装置１との間において、既知の値であってもよい。
【００９６】
図８から見ると、スロットを構成する１４シンボルは下りリンク（Ｄ）、ギャップ（Ｇ）、および、上りリンク（Ｕ）の一部または全部に用いられる。ここで、Ｇはブランクシンボルを示してもよい。図８における０から１３までの数字は、１つのスロットにおいて、スロットを構成するシンボルの番号（インデックス番号）であってもよい。端末装置１は、下りリンクと上りリンクの間のギャップにおいて、下りリンクの受信処理から上りリンクの送信処理への切り替えを行ってもよい。また、下りリンクと下りリンクの間のギャップに用いられるシンボルは他の目的としてリザーブされてもよい。また、上りリンクと上りリンクの間のギャップに用いられるシンボルは他の目的としてリザーブされてもよい。基地局装置３は、現スロットのスロットストラクチャーを示す第１のフィールドと‘ｓｌｏｔ  ｃｏｎｆｉｇｕｒａｔｉｏｎ’フィールドをグループコモンＰＤＣＣＨによって、端末装置１へ送信する。端末装置１は、受信したグループコモンＰＤＣＣＨに含まれる第１のフィールドに基づいて、現スロットのスロットストラクチャーを決定してもよい。次に、端末装置１は、決定されたスロットストラクチャーに用いられるスロットのコンフィギュレーションから、‘ｓｌｏｔ  ｃｏｎｆｉｇｕｒａｔｉｏｎ’フィールドにマッピングされた値によって、スロットのコンフィギュレーションのどれかを決定してもよい。
【００９７】
例えば、端末装置１が受信したグループコモンＰＤＣＣＨに含まれる第１のフィールドに基づいて、現スロットのスロットストラクチャーを下りリンクオンリースロットとして決定した場合、端末装置１は、検出されたグループコモンＰＤＣＣＨに含まれる‘ｓｌｏｔ  ｃｏｎｆｉｇｕｒａｔｉｏｎ’フィールドを図８（Ａ）と参照し、‘ｓｌｏｔ  ｃｏｎｆｉｇｕｒａｔｉｏｎ’フィールドにマッピングされた値に基づいて、どれかのスロットコンフィギュレーションを決定してもよい。
【００９８】
また、例えば、端末装置１が受信したグループコモンＰＤＣＣＨに含まれる第１のフィールドに基づいて、現スロットのスロットストラクチャーを上りリンクセントリックスロットとして決定した場合、端末装置１は、検出されたグループコモンＰＤＣＣＨに含まれる‘ｓｌｏｔ  ｃｏｎｆｉｇｕｒａｔｉｏｎ’フィールドを図８（Ｃ）と参照し、‘ｓｌｏｔ  ｃｏｎｆｉｇｕｒａｔｉｏｎ’フィールドにマッピングされた値に基づいて、どれかのスロットコンフィギュレーションを決定してもよい。
【００９９】
以下、本実施形態における装置の構成について説明する。
【０１００】
図５は、本実施形態の基地局装置３の構成を示す概略ブロック図である。図示するように、基地局装置３は、上位層（上位層制御情報通知部）５０１、制御部（基地局制御部）５０２、コードワード生成部５０３、下りリンクサブフレーム生成部５０４、ＯＦＤＭ信号送信部（下りリンク送信部）５０６、送信アンテナ（基地局送信アンテナ）５０７、受信アンテナ（基地局受信アンテナ）５０８、ＳＣ−ＦＤＭＡ／ＯＦＤＭ信号受信部（チャネル状態測定部および／またはＣＳＩ受信部）５０９、上りリンクサブフレーム処理部５１０を有する。下りリンクサブフレーム生成部５０４は、下りリンク参照信号生成部５０５、リソースエレメントマップ処理部５１２、ベースバンド信号生成処理部を有する。ま
た、上りリンクサブフレーム処理部５１０は、上りリンク制御情報抽出部（ＣＳＩ取得部／ＨＡＲＱ−ＡＣＫ取得部／ＳＲ取得部）５１１を有する。なお、ＳＣ−ＦＤＭＡ／ＯＦＤＭ信号受信部５０９は、受信信号やＣＣＡ（Ｃｌｅａｒ  Ｃｈａｎｎｅｌ  Ａｓｓｅｓｓｍｅｎｔ）、干渉雑音電力の測定部も兼ねている。なお、ＳＣ−ＦＤＭＡ／ＯＦＤＭ信号受信部５０９は、端末装置１がＯＦＤＭ信号の送信をサポートしている場合には、ＯＦＤＭ信号受信部であってもよい。ＳＣ−ＦＤＭＡ／ＯＦＤＭ信号受信部５０９は、端末装置１がＳＣ−ＦＤＭＡ（ＤＦＴ−Ｓ−ＯＦＤＭ）信号の送信をサポートしている場合には、ＳＣ−ＦＤＭＡ信号受信部であってもよい。なお、図示しないが、基地局装置３には、ＴＡ（Ｔｉｍｉｎｇ  Ａｄｖａｎｃｅ）コマンドを送信する送信部が含まれてもよい。
【０１０１】
下りリンクサブフレーム生成部５０４は、下りリンクＴＴＩ（Ｔｒａｎｓｍｉｔ  Ｔｉｍｅ  Ｉｎｔｅｒｖａｌ）生成部であってもよいし、下りリンクＴＴＩ生成部を含んでもよい。また、下りリンクＴＴＩ生成部は、下りリンクＴＴＩを構成する物理チャネルおよび／または物理信号の生成を行なってもよい。つまり、下りリンクＴＴＩ生成部を含む下りリンクサブフレーム生成部５０４は、送信する物理チャネルおよび／または物理信号に対する系列を生成してもよい。また、下りリンクサブフレーム生成部５０４に含まれるリソースエレメントマップ処理部５１２は、生成した系列を物理リソース（物理リソースエレメント）へマッピングしてもよい。なお、上りリンクについても同様であってもよい。下りリンクサブフレーム生成部５０４は、下りリンクスロット生成部を含んでもよい。つまり、下りリンクサブフレーム生成部５０４は、下りリンクスロットで送信される物理チャネルおよび／または物理信号の生成を行なってもよい。また、下りリンクサブフレーム生成部５０４は、下りリンクミニスロット生成部を含んでもよい。つまり、下りリンクサブフレーム生成部５０４は、下りリンクミニスロットで送信される物理チャネルおよび／または物理信号の生成を行なってもよい。また、下りリンクサブフレーム生成部５０４は、スロットに対する下りリンク送信か、上りリンク受信かに応じて、スロットのスロットストラクチャー情報を、設定してもよい。また、リソースエレメントマップ処理部５１２は、送信アンテナポートごとの下りリンク送信シンボル（送信ビット、送信データ）をリソースエレメントにマッピングする処理を行う機能を備えてもよい。リソースエレメントマップ処理部５１２は、送信シンボルをガードバンドのためにリザーブされたリソースエレメントにマッピングする処理を行わなくてもよい。
【０１０２】
下りリンクサブフレーム生成部５０４に含まれるベースバンド信号生成処理部５１３は、リソースエレメントにマップされた下りリンク送信シンボル（送信ビット、送信データ）を、ＯＦＤＭベースバンド信号に変換する機能を備えてもよい。送信シンボルをＯＦＤＭベースバンド信号に変換する処理は、例えば、逆フーリエ変換処理（IFFT: Inverse Fast Fourier Transform）や、ウィンドウ処理（Windowing）、フィルタリング処理（Filter processing）等を含んでもよい。ベースバンド信号生成処理部５１３において、上位層の信号に含まれる情報に基づき、リソースエレメントにマップされた送信ビットをベースバンド信号に変換する処理を施すか否かが与えられてもよい。ベースバンド信号生成処理部５１３において、制御チャネルに含まれる情報に基づき、リソースエレメントにマップされた送信ビットをベースバンド信号に変換する処理を施すか否かが与えられてもよい。ベースバンド信号生成処理部５１３において、あらかじめ設定される情報に基づき、リソースエレメントにマップされた送信ビットをベースバンド信号に変換する処理を施すか否かが与えられてもよい。
【０１０３】
上りリンクサブフレーム処理部５１０は、上りリンクスロット処理部を含んでもよい。つまり、上りリンクサブフレーム処理部５１０は、上りリンクスロットで送信された物理チャネルおよび／または物理信号の処理を行なってもよい。また、上りリンクサブフレーム処理部５１０は、上りリンクミニスロット処理部を含んでもよい。つまり、下上りリンクサブフレーム処理部５１０は、上りリンクミニスロットで送信される物理チャネルおよ
び／または物理信号の処理を行なってもよい。
【０１０４】
図１０は、本実施形態の端末装置１の構成を示す概略ブロック図である。図示するように、端末装置１は、受信アンテナ（端末受信アンテナ）６０１、ＯＦＤＭ信号受信部（下りリンク受信部）６０２、下りリンクサブフレーム処理部６０３、トランスポートブロック抽出部（データ抽出部）６０５、制御部（端末制御部）６０６、上位層（上位層制御情報取得部）６０７、チャネル状態測定部（ＣＳＩ生成部）６０８、上りリンクサブフレーム生成部６０９、ＳＣ−ＦＤＭＡ／ＯＦＤＭ信号送信部（ＵＣＩ送信部）６１１、送信アンテナ（端末送信アンテナ）６１３を有する。下りリンクサブフレーム処理部６０３は、下りリンク参照信号抽出部６０４を有する。なお、下りリンクサブフレーム処理部６０３は、下りリンクＴＴＩ処理部であってもよい。また、下りリンクサブフレーム処理部６０３は、下りリンクスロット処理部を含んでもよい。つまり、下りリンクサブフレーム処理部６０３は、下りリンクスロットで送信される物理チャネルおよび／または物理信号の処理を行なってもよい。また、下りリンクサブフレーム処理部６０３は、下りリンクミニスロット処理部を含んでもよい。つまり、下りリンクサブフレーム処理部６０３は、下りリンクミニスロットで送信される物理チャネルおよび／または物理信号の処理を行なってもよい。また、上りリンクサブフレーム生成部６０９は、上りリンク制御情報生成部（ＵＣＩ生成部）６１０、リソースエレメントマップ処理部６１４、ベースバンド信号生成処理部６１５を有する。なお、ＯＦＤＭ信号受信部６０２は、受信信号やＣＣＡ、干渉雑音電力の測定部も兼ねている。つまり、ＯＦＤＭ信号受信部６０２において、ＲＲＭ測定が行なわれてもよい。端末装置１がＯＦＤＭ信号の送信をサポートしている場合には、ＳＣ−ＦＤＭＡ／ＯＦＤＭ信号送信部は、ＯＦＤＭ信号送信部であってもよい。端末装置１がＳＣ−ＦＤＭＡ（ＤＦＴ−Ｓ−ＯＦＤＭ）信号の送信をサポートしている場合には、ＳＣ−ＦＤＭＡ／ＯＦＤＭ信号送信部は、ＳＣ−ＦＤＭＡ信号送信部であってもよい。
【０１０５】
上りリンクサブフレーム生成部６０９は、上りリンクＴＴＩ生成部であってもよいし、上りリンクＴＴＩ生成部を含んでもよい。上りリンクＴＴＩ生成部は、上りリンクＴＴＩを構成する物理チャネルおよび／または物理信号の生成を行なってもよい。つまり、上りリンクＴＴＩ生成部を含む上りリンクサブフレーム生成部６０９は、送信する物理チャネルおよび／または物理信号に対する系列を生成してもよい。また、上りリンクサブフレーム生成部６０９に含まれるリソースエレメントマップ処理部６１４は、生成した系列を物理リソース（物理リソースエレメント）へマッピングしてもよい。また、上りリンクサブフレーム生成部６０９は、上りリンクスロット生成部を含んでもよい。つまり、上りリンクサブフレーム生成部６０９は、上りリンクスロットで送信される物理チャネルおよび／または物理信号の生成を行なってもよい。また、上りリンクサブフレーム生成部６０９は、上りリンクミニスロット生成部を含んでもよい。つまり、上りリンクサブフレーム生成部６０９は、上りリンクミニスロットで送信される物理チャネルおよび／または物理信号の生成を行なってもよい。また、リソースエレメントマップ処理部６１４は、送信アンテナポートごとの上りリンク送信シンボル（送信ビット、送信データ）をリソースエレメントにマッピングする処理を行う機能を備えてもよい。リソースエレメントマップ処理部６１４は、上りリンク送信シンボルをガードバンドのためにリザーブされたリソースエレメントにマッピングする処理を行わなくてもよい。また、端末装置１は、上りリンク信号の送信電力を制御／セットするための電力制御部を含んでもよい。なお、図示しないが、端末装置１には、端末装置１の受信と送信間の時間差を測定するための測定部が含まれてもよい。また、端末装置１には、時間差の測定結果を報告する送信部が含まれてもよい。
【０１０６】
上りリンクサブフレーム生成部６０９に含まれるベースバンド信号生成処理部６１５は、リソースエレメントにマップされた上りリンク送信シンボル（送信ビット、送信データ）を、ＯＦＤＭベースバンド信号またはＳＣ−ＦＤＭＡベースバンド信号に変換する機能を備えてもよい。上りリンク送信シンボルをＯＦＤＭベースバンド信号またはＳＣ−ＦＤ
ＭＡベースバンド信号に変換する処理は、例えば、フーリエ変換処理（FFT: Fast Fourier Transform）や、逆フーリエ変換処理（IFFT: Inverse Fast Fourier Transform）や、
ウィンドウ処理（Windowing）、フィルタリング処理（Filter processing）等を含んでもよい。ベースバンド信号生成処理部６１５において、上位層の信号に含まれる情報に基づき、リソースエレメントにマップされた送信ビットをベースバンド信号に変換する処理を施すか否かが与えられてもよい。ベースバンド信号生成処理部６１５において、制御チャネルに含まれる情報に基づき、リソースエレメントにマップされた送信ビットをベースバンド信号に変換する処理を施すか否かが与えられてもよい。ベースバンド信号生成処理部６１５において、あらかじめ設定される情報に基づき、リソースエレメントにマップされた送信ビットをベースバンド信号に変換する処理を施すか否かが与えられてもよい。
【０１０７】
図９と図１０のそれぞれにおいて、上位層は、ＭＡＣ（Ｍｅｄｉｕｍ  Ａｃｃｅｓｓ  Ｃｏｎｔｒｏｌ）層やＲＬＣ（Ｒａｄｉｏ  Ｌｉｎｋ  Ｃｏｎｔｒｏｌ）層、ＰＤＣＰ（Ｐａｃｋｅｔ  Ｄａｔａ  Ｃｏｎｖｅｒｇｅｎｃｅ  Ｐｒｏｔｏｃｏｌ）層、ＲＲＣ（Ｒａｄｉｏ  Ｒｅｓｏｕｒｃｅ  Ｃｏｎｔｒｏｌ）層を含んでもよい。なお、上位層は上位層処理部と称されてもよい。
【０１０８】
ＲＬＣ層は、上位層（例えば、ＰＤＣＰ層やＲＲＣ層）へＴＭ（Ｔｒａｎｓｐａｒｅｎｔ  Ｍｏｄｅ）データ伝送、ＵＭ（Ｕｎａｃｋｎｏｗｌｅｄｇｅｄ  Ｍｏｄｅ）データ伝送、上位層のＰＤＵ（Ｐａｃｋｅｔ  Ｄａｔａ  Ｕｎｉｔ）の伝送が成功したことを示すインディケーションを含むＡＭ（Ａｃｋｎｏｗｌｅｄｇｅｄ  Ｍｏｄｅ）データ伝送を行なう。また、下位層へはデータ伝送と、送信機会において送信されたＲＬＣ  ＰＤＵの全サイズとともに、送信機会の通知を行なう。
【０１０９】
ＲＬＣ層は、上位層のＰＤＵの伝送に関する機能、（ＡＭデータ伝送に対してだけ）ＡＲＱ（Ａｕｔｏｍａｔｉｃ  Ｒｅｐｅａｔ  ｒｅＱｕｅｓｔ）を介したエラー補正に関する機能、（ＵＭとＡＭデータ伝送に対してだけ）ＲＬＣ  ＳＤＵ（Ｓｅｒｖｉｃｅ  Ｄａｔａ  Ｕｎｉｔ）の結合／分割／再構築に関する機能、（ＡＭデータ伝送に対して）ＲＬＣデータＰＤＵの再分割に関する機能、（ＡＭデータ伝送に対してだけ）ＲＬＣデータＰＤＵの並び替えに関する機能、（ＵＭとＡＭデータ伝送に対してだけ）重複検出に関する機能、（ＵＭとＡＭデータ伝送に対してだけ）ＲＬＣ  ＳＤＵの破棄に関する機能、ＲＬＣの再確立に関する機能、（ＡＭデータ伝送に対してだけ）プロトコルエラー検出に関する機能をサポートしている。
【０１１０】
まず、図９および図１０を用いて、下りリンクデータの送受信の流れについて説明する。基地局装置３において、制御部５０２は、下りリンクにおける変調方式および符号化率などを示すＭＣＳ（Ｍｏｄｕｌａｔｉｏｎ  ａｎｄ  Ｃｏｄｉｎｇ  Ｓｃｈｅｍｅ）、データ送信に用いるＲＢを示す下りリンクリソース割り当て、ＨＡＲＱの制御に用いる情報（リダンダンシーバージョン、ＨＡＲＱプロセス番号、ＮＤＩ（Ｎｅｗ  Ｄａｔａ  Ｉｎｄｉｃａｔｏｒ））を保持し、これらに基づいてコードワード生成部５０３や下りリンクサブフレーム生成部５０４を制御する。上位層５０１から送られてくる下りリンクデータ（下りリンクトランスポートブロック、下りリンク共用データ、下りリンク共用トランスポートブロックとも称す）は、コードワード生成部５０３において、制御部５０２の制御の下で、誤り訂正符号化やレートマッチング処理などの処理が施され、コードワードが生成される。１つのセルにおける１つのサブフレームにおいて、最大２つのコードワードが同時に送信される。下りリンクサブフレーム生成部５０４では、制御部５０２の指示により、下りリンクサブフレーム／下りリンクスロット／下りリンクミニスロットが生成される。まず、コードワード生成部５０３において生成されたコードワードは、ＰＳＫ（Ｐｈａｓｅ  Ｓｈｉｆｔ  Ｋｅｙｉｎｇ）変調やＱＡＭ（Ｑｕａｄｒａｔｕｒｅ  Ａｍｐｌｉｔｕｄｅ  Ｍｏｄｕｌａｔｉｏｎ）変調などの変調処理により、変調シンボル系列に変換
される。また、変調シンボル系列は、一部のＲＢ内のＲＥにマッピングされ、プレコーディング処理によりアンテナポート毎の下りリンクサブフレーム／下りリンクスロット／下りリンクミニスロットが生成される。このとき、上位層５０１から送られてくる送信データ系列は、上位層における制御情報（例えば専用（個別）ＲＲＣシグナリング）である上位層制御情報を含む。また、下りリンク参照信号生成部５０５では、下りリンク参照信号が生成される。下りリンクサブフレーム生成部５０４に含まれるリソースエレメントマップ処理部５１２は、制御部５０２の指示により、下りリンク参照信号を下りリンクサブフレーム／下りリンクスロット／下りリンクミニスロット内のＲＥにマッピングする。下りリンクサブフレーム生成部５０４で生成された下りリンクサブフレーム／下りリンクスロット／下りリンクミニスロットは、ＯＦＤＭ信号送信部５０６においてＯＦＤＭ信号に変調され、送信アンテナ５０７を介して送信される。なお、ここではＯＦＤＭ信号送信部５０６と送信アンテナ５０７を一つずつ有する構成を例示しているが、複数のアンテナポートを用いて下りリンクサブフレームを送信する場合は、ＯＦＤＭ信号送信部５０６と送信アンテナ５０７とを複数有する構成であってもよい。また、下りリンクサブフレーム生成部５０４に含まれるリソースエレメントマップ処理部５１２は、物理制御チャネル／物理共用チャネルなどの物理層の下りリンク制御チャネルを生成して下りリンクサブフレーム内の下りリンクスロットおよび／または下りリンクミニスロットのＲＥにマッピングする能力も有することができる。複数の基地局装置は、それぞれ個別の下りリンクサブフレームに含まれる下りリンクスロットまたは下りリンクミニスロットを送信する。
【０１１１】
端末装置１では、受信アンテナ６０１を介して、ＯＦＤＭ信号受信部６０２においてＯＦＤＭ信号が受信され、ＯＦＤＭ復調処理が施される。
【０１１２】
下りリンクサブフレーム処理部６０３は、まず、物理制御チャネルなどの物理層の下りリンク制御チャネルを検出する。より具体的には、下りリンクサブフレーム処理部６０３は、物理制御チャネル／物理共用チャネルが割り当てられる領域において物理制御チャネルが送信されたものとして復号し、予め付加されているＣＲＣ（Cyclic Redundancy Check）ビットを確認する（ブラインド復号）。すなわち、下りリンクサブフレーム処理部６
０３は、物理制御チャネル／物理共用チャネルをモニタリングする。ＣＲＣビットが予め基地局装置から割り当てられたＩＤ（Ｃ−ＲＮＴＩ（Ｃｅｌｌ−Ｒａｄｉｏ  Ｎｅｔｗｏｒｋ  Ｔｅｍｐｏｒａｒｙ  Ｉｄｅｎｔｉｆｉｅｒ）、ＳＰＳ−Ｃ−ＲＮＴＩ（Ｓｅｍｉ−Ｐｅｒｓｉｓｔｅｎｔ  Ｓｃｈｅｄｕｌｉｎｇ−Ｃ−ＲＮＴＩ）など１つの端末に対して１つ割り当てられる端末固有識別子（ＵＥＩＤ）、あるいはＴｅｍｐｏｒａｌｙ  Ｃ−ＲＮＴＩ）と一致する場合、下りリンクサブフレーム処理部６０３は、物理制御チャネル／物理共用チャネルを検出できたものと認識し、検出した物理制御チャネルに含まれるＤＣＩを用いて物理共用チャネルを取り出す。また、下りリンクサブフレーム処理部６０３は、検出した物理制御チャネルに含まれるスロットストラクチャー情報を取得し、該スロットのスロットストラクチャーを認識する。
【０１１３】
制御部６０６は、制御情報に基づく下りリンクにおける変調方式および符号化率などを示すＭＣＳ、下りリンクデータ送信に用いるＲＢを示す下りリンクリソース割り当て、ＨＡＲＱの制御に用いる情報を保持し、これらに基づいて下りリンクサブフレーム処理部６０３やトランスポートブロック抽出部６０５などを制御する。より具体的には、制御部６０６は、下りリンクサブフレーム生成部５０４に含まれるリソースエレメントマップ処理部５１２おけるＲＥマッピング処理や変調処理に対応するＲＥデマッピング処理や復調処理などを行なうように制御する。受信した下りリンクサブフレームから取り出されたＰＤＳＣＨは、トランスポートブロック抽出部６０５に送られる。また、下りリンクサブフレーム処理部６０３内の下りリンク参照信号抽出部６０４は、下りリンクサブフレーム／下りリンクスロット／下りリンクミニスロットからＤＬＲＳを取り出す。また、制御部６０６は、基地局装置３の上位層５０１から送られてくるＲＲＣシグナリングと検出した物理
制御チャネルに含まれるスロットのスロットストラクチャーに少なくとも基づき、物理制御チャネルが検出されたスロットより後ろのスロットにおいて、物理制御チャネルをモニタするかどうかを制御する。
【０１１４】
トランスポートブロック抽出部６０５では、コードワード生成部５０３におけるレートマッチング処理、誤り訂正符号化に対応するレートマッチング処理、誤り訂正復号化などが施され、トランスポートブロックが抽出され、上位層６０７に送られる。トランスポートブロックには、上位層の制御情報が含まれており、上位層６０７は上位層の制御情報に基づいて制御部６０６に必要な物理層パラメータを知らせる。なお、複数の基地局装置３は、それぞれ個別の下りリンクサブフレーム／下りリンクスロット／下りリンクミニスロットを送信しており、端末装置１ではこれらを受信するため、上述の処理を複数の基地局装置３毎の下りリンクサブフレーム／下りリンクスロット／下りリンクミニスロットに対して、それぞれ行なってもよい。このとき、端末装置１は複数の下りリンクサブフレーム／下りリンクスロット／下りリンクミニスロットが複数の基地局装置３から送信されていると認識してもよいし、認識しなくてもよい。認識しない場合、端末装置１は、単に複数のセルにおいて複数の下りリンクサブフレーム／下りリンクスロット／下りリンクミニスロットが送信されていると認識するだけでもよい。また、トランスポートブロック抽出部６０５では、トランスポートブロックが正しく検出できたか否かを判定し、判定結果は制御部６０６に送られる。
【０１１５】
ここで、トランスポートブロック抽出部６０５には、バッファ部（ソフトバッファ部）を含んでもよい。バッファ部において、抽出したトランスポートブロックの情報を一時的に記憶することができる。例えば、トランスポートブロック抽出部６０５は、同じトランスポートブロック（再送されたトランスポートブロック）を受信した場合、このトランスポートブロックに対するデータの復号が成功していないとすれば、バッファ部に一時的に記憶したこのトランスポートブロックに対するデータと新たに受信したデータを結合（合成）し、結合したデータを復号しようと試みる。バッファ部は、一時的に記憶したデータが必要なくなれば、もしくは、所定の条件を満たせば、そのデータをフラッシュする。フラッシュするデータの条件は、データに対応するトランスポートブロックの種類によって異なる。バッファ部は、データの種類毎に、用意されてもよい。例えば、バッファ部として、メッセージ３バッファやＨＡＲＱバッファが用意されてもよいし、Ｌ１／Ｌ２／Ｌ３などレイヤ毎に用意されてもよい。なお、情報／データをフラッシュするとは、情報やデータが格納されたバッファをフラッシュすることを含む。
【０１１６】
次に、上りリンク信号の送受信の流れについて説明する。端末装置１では制御部６０６の指示の下で、下りリンク参照信号抽出部６０４で抽出された下りリンク参照信号がチャネル状態測定部６０８に送られ、チャネル状態測定部６０８においてチャネル状態および／または干渉が測定され、さらに測定されたチャネル状態および／または干渉に基づいて、ＣＳＩが算出される。また、チャネル状態測定部６０８において、基地局装置３からのビーム強度の測定、または、ビームに対応するリソースの検出を行なってもよい。また、制御部６０６は、トランスポートブロックが正しく検出できたか否かの判定結果に基づいて、上りリンク制御情報生成部６１０にＨＡＲＱ−ＡＣＫ（ＤＴＸ（未送信）、ＡＣＫ（検出成功）またはＮＡＣＫ（検出失敗））の生成および下りリンクサブフレームへのマッピングを指示する。端末装置１は、これらの処理を複数のセル毎の下りリンクサブフレーム／下りリンクスロット／下りリンクミニスロットに対して、それぞれ行なう。上りリンク制御情報生成部６１０では、算出されたＣＳＩおよび／またはＨＡＲＱ−ＡＣＫを含むＰＵＣＣＨまたはＰＵＣＣＨに相当する制御チャネル／共用チャネルが生成される。上りリンクサブフレーム生成部６０９では、上位層６０７から送られる上りリンクデータを含む物理共用チャネルと、上りリンク制御情報生成部６１０において生成される物理制御チャネルとが上りリンクサブフレーム内の上りリンクスロットまたは上りリンクミニスロッ
トのＲＢにリソースエレメントマップ処理部６１４によってマッピングされ、上りリンクスロットまたは上りリンクミニスロットが生成される。
【０１１７】
受信アンテナ５０８を介して、ＳＣ−ＦＤＭＡ／ＯＦＤＭ信号受信部５０９においてＳＣ−ＦＤＭＡ信号またはＯＦＤＭ信号が受信され、ＳＣ−ＦＤＭＡ復調処理またはＯＦＤＭ復調処理が施される。上りリンクサブフレーム処理部５１０では、制御部５０２の指示により、物理制御チャネルがマッピングされたＲＢを抽出し、上りリンク制御情報抽出部５１１において物理制御チャネルに含まれるＣＳＩを抽出する。抽出されたＣＳＩは制御部５０２に送られる。ＣＳＩは、制御部５０２による下りリンク送信パラメータ（ＭＣＳ、下りリンクリソース割り当て、ＨＡＲＱ、送信ビーム、受信ビームなど）の制御に用いられる。
【０１１８】
基地局装置３が備える符号５０１から符号５１３が付された部のそれぞれは、回路として構成されてもよい。端末装置１が備える符号６０１から符号６１５が付された部のそれぞれは、回路として構成されてもよい。
【０１１９】
以下、本実施形態における、端末装置１および基地局装置３の種々の態様について説明する。
【０１２０】
（１）本実施形態の第１の態様は、端末装置１であって、上位層の信号とＰＤＣＣＨを受信する受信部６０２と、前記上位層の信号は、前記ＰＤＣＣＨをモニタするスロットを示すＲＲＣパラメータを含み、前記ＰＤＣＣＨは、スロットストラクチャー情報を含み、前記スロットストラクチャー情報は、前記ＰＤＣＣＨを受信したスロットの次のスロットｎに対するスロットストラクチャーを示し、前記ＲＲＣパラメータと前記スロットストラクチャー情報に少なくとも基づき、スロットｎにおいてＰＤＣＣＨをモニタするかどうかを制御する制御部６０６と、を備える。
【０１２１】
（２）本実施形態の第１の態様において、前記ＲＲＣパラメータが、前記スロットｎにおいてＰＤＣＣＨをモニタすることを示し、且つ、前記スロットストラクチャー情報が、前記スロットｎにおけるスロットストラクチャーを上りリンクオンリースロットであると示した場合、前記スロットｎにおいて、前記ＰＤＣＣＨをモニタせず、前記ＲＲＣパラメータが、前記スロットｎにおいてＰＤＣＣＨをモニタすることを示し、且つ、前記スロットストラクチャー情報が、前記スロットｎのスロットストラクチャーを上りリンクオンリースロット以外のスロットであると示した場合、前記スロットｎにおいて、前記ＰＤＣＣＨをモニタする。
【０１２２】
（３）本実施形態の第１の態様において、  前記受信部６０２は、スロットｎ−１において前記スロットストラクチャー情報を含む前記ＰＤＣＣＨが検出されない場合、かつ、前記ＲＲＣパラメータが前記スロットｎにおいて前記ＰＤＣＣＨをモニタすることを示す場合、前記スロットｎにおいて、前記ＰＤＣＣＨをモニタし、前記スロットｎ−１において前記スロットストラクチャー情報を含む前記ＰＤＣＣＨが検出されない場合、かつ、前記ＲＲＣパラメータが前記スロットｎにおいて前記ＰＤＣＣＨをモニタすることを示していない場合、前記スロットｎにおいて、前記ＰＤＣＣＨをモニタしない。
【０１２３】
（４）本実施形態の第２の態様は、基地局装置３であって、スロットストラクチャー情報を含むＰＤＣＣＨとＲＲＣシグナリングを送信する送信部５０６と、前記ＲＲＣシグナリングは、スロットｎにおいて、端末装置に前記ＰＤＣＣＨをモニタさせるかどうか指示するＲＲＣパラメータを含み、スロットｎ−１において送信された前記ＰＤＣＣＨに含まれる前記スロットストラクチャー情報は、スロットｎのスロットストラクチャーを示し、スロットｎに対する下りリンク送信か、上りリンク受信かに応じて、スロットｎのスロッ
トストラクチャー情報を、設定する生成部５０４と、備える。
【０１２４】
第１の態様から第２の態様において、前記ＰＤＣＣＨはグループコモンＰＤＣＣＨであってもよい。
【０１２５】
これにより、端末装置１は効率的に下りリンクのモニタを行うことができる。
【０１２６】
本発明に関わる基地局装置３、および端末装置１で動作するプログラムは、本発明に関わる上記実施形態の機能を実現するように、ＣＰＵ（Central Processing Unit）等を制
御するプログラム（コンピュータを機能させるプログラム）であっても良い。そして、これら装置で取り扱われる情報は、その処理時に一時的にＲＡＭ（Random Access Memory）に蓄積され、その後、Ｆｌａｓｈ  ＲＯＭ（Read Only Memory)などの各種ＲＯＭやＨＤ
Ｄ（Hard Disk Drive）に格納され、必要に応じてＣＰＵによって読み出し、修正・書き
込みが行われる。
【０１２７】
尚、上述した実施形態における端末装置１、基地局装置３の一部、をコンピュータで実現するようにしても良い。その場合、この制御機能を実現するためのプログラムをコンピュータが読み取り可能な記録媒体に記録して、この記録媒体に記録されたプログラムをコンピュータシステムに読み込ませ、実行することによって実現しても良い。
【０１２８】
尚、ここでいう「コンピュータシステム」とは、端末装置１、又は基地局装置３に内蔵されたコンピュータシステムであって、ＯＳや周辺機器等のハードウェアを含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。
【０１２９】
さらに「コンピュータ読み取り可能な記録媒体」とは、インターネット等のネットワークや電話回線等の通信回線を介してプログラムを送信する場合の通信線のように、短時間、動的にプログラムを保持するもの、その場合のサーバやクライアントとなるコンピュータシステム内部の揮発性メモリのように、一定時間プログラムを保持しているものも含んでも良い。また上記プログラムは、前述した機能の一部を実現するためのものであっても良く、さらに前述した機能をコンピュータシステムにすでに記録されているプログラムとの組み合わせで実現できるものであっても良い。
【０１３０】
また、上述した実施形態における基地局装置３は、複数の装置から構成される集合体（装置グループ）として実現することもできる。装置グループを構成する装置の各々は、上述した実施形態に関わる基地局装置３の各機能または各機能ブロックの一部、または、全部を備えてもよい。装置グループとして、基地局装置３の一通りの各機能または各機能ブロックを有していればよい。また、上述した実施形態に関わる端末装置１は、集合体としての基地局装置と通信することも可能である。
【０１３１】
また、上述した実施形態における基地局装置３は、ＥＵＴＲＡＮ（Evolved Universal Terrestrial Radio Access Network）であってもよい。また、上述した実施形態における基地局装置３は、ｅＮｏｄｅＢに対する上位ノードの機能の一部または全部を有してもよい。
【０１３２】
また、上述した実施形態における端末装置１、基地局装置３の一部、又は全部を典型的には集積回路であるＬＳＩとして実現してもよいし、チップセットとして実現してもよい。端末装置１、基地局装置３の各機能ブロックは個別にチップ化してもよいし、一部、又は全部を集積してチップ化してもよい。また、集積回路化の手法はＬＳＩに限らず専用回
路、又は汎用プロセッサで実現しても良い。また、半導体技術の進歩によりＬＳＩに代替する集積回路化の技術が出現した場合、当該技術による集積回路を用いることも可能である。
【０１３３】
また、上述した実施形態では、通信装置の一例として端末装置を記載したが、本願発明は、これに限定されるものではなく、屋内外に設置される据え置き型、または非可動型の電子機器、たとえば、ＡＶ機器、キッチン機器、掃除・洗濯機器、空調機器、オフィス機器、自動販売機、その他生活機器などの端末装置もしくは通信装置にも適用出来る。
【０１３４】
以上、この発明の実施形態に関して図面を参照して詳述してきたが、具体的な構成はこの実施形態に限られるものではなく、この発明の要旨を逸脱しない範囲の設計変更等も含まれる。また、本発明は、請求項に示した範囲で種々の変更が可能であり、異なる実施形態にそれぞれ開示された技術的手段を適宜組み合わせて得られる実施形態についても本発明の技術的範囲に含まれる。また、上記各実施形態に記載された要素であり、同様の効果を奏する要素同士を置換した構成も含まれる。
【符号の説明】
【０１３５】
１（１Ａ、１Ｂ、１Ｃ）  端末装置
３        基地局装置
５０１  上位層
５０２  制御部
５０３  コードワード生成部
５０４  下りリンクサブフレーム生成部
５０５  下りリンク参照信号生成部
５０６  ＯＦＤＭ信号送信部
５０７  送信アンテナ
５０８  受信アンテナ
５０９  ＳＣ−ＦＤＭＡ／ＯＦＤＭ信号受信部
５１０  上りリンクサブフレーム処理部
５１１  上りリンク制御情報抽出部
５１２  リソースエレメントマップ処理部
５１３  ベースバンド信号生成処理部
６０１  受信アンテナ
６０２  ＯＦＤＭ信号受信部
６０３  下りリンクサブフレーム処理部
６０４  下りリンク参照信号抽出部
６０５  トランスポートブロック抽出部
６０６  制御部
６０７  上位層
６０８  チャネル状態測定部
６０９  上りリンクサブフレーム生成部
６１０  上りリンク制御情報生成部
６１１  ＳＣ−ＦＤＭＡ／ＯＦＤＭ信号送信部
６１３  送信アンテナ
６１４  リソースエレメントマップ処理部
６１５  ベースバンド信号生成処理部
【図１】
2020057832.tif 000003
【図２】
2020057832.tif 000004
【図３】
2020057832.tif 000005
【図４】
2020057832.tif 000006
【図５】
2020057832.tif 000007
【図６】
2020057832.tif 000008
【図７】
2020057832.tif 000009
【図８】
2020057832.tif 000010
【図９】
2020057832.tif 000011
【図１０】
2020057832.tif 000012